(57)【要約】  タイプ２キャリアを取り扱うための端末装置（ＵＥ）が記載される。ＵＥは、プロセッサと、プロセッサと電子通信を行うメモリとを含む。メモリに記憶された命令は、少なくとも１つのタイプ２セカンダリセル（ＳＣｅｌｌ）を含む１つ以上の在圏セルを用いた構成を適用するために実行可能である。メモリに記憶された命令は、また、少なくとも１つのタイプ２ＳＣｅｌｌを除く１つ以上の在圏セルのそれぞれに関する測定結果を取得するために実行可能である。メモリに記憶された命令は、さらに、少なくとも１つのタイプ２ＳＣｅｌｌを除く１つ以上の在圏セルのそれぞれに関する測定結果を含むように測定結果リストをセットするために実行可能である。加えて、メモリに記憶された命令は、測定結果リストを送信するために実行可能である。
2015536583.tif 000002
【特許請求の範囲】
【請求項１】
タイプ２キャリアを取り扱うための端末装置（ＵＥ）であって、
プロセッサと、
前記プロセッサと電子通信を行うメモリとを備え、前記メモリに記憶された命令は、
少なくとも１つのタイプ２セカンダリセル（ＳＣｅｌｌ）を含む１つ以上の在圏セルを用いた構成を適用し、
前記少なくとも１つのタイプ２ＳＣｅｌｌを除く前記１つ以上の在圏セルのそれぞれに関する測定結果を取得し、
前記少なくとも１つのタイプ２ＳＣｅｌｌを除く前記１つ以上の在圏セルのそれぞれに関する前記測定結果を含むように測定結果リストをセットして、
前記測定結果リストを送信する
ために実装可能である、
前記ＵＥ。
【請求項２】
前記命令は、前記少なくとも１つのタイプ２ＳＣｅｌｌに対応する参照セルを確定するためにさらに実行可能である、請求項１に記載のＵＥ。
【請求項３】
前記命令は、前記少なくとも１つのタイプ２Ｓｃｅｌｌのための前記参照セルのセル固有参照信号（ＣＲＳ）、プライマリ同期信号（ＰＳＳ）およびセカンダリ同期信号（ＳＳＳ）からなる群のうちの少なくとも１つを利用するためにさらに実行可能である、請求項２に記載のＵＥ。
【請求項４】
前記参照セルを確定することは、参照セル・インジケータを受信することを備える、請求項２に記載のＵＥ。
【請求項５】
前記命令は、前記少なくとも１つのタイプ２ＳＣｅｌｌの上りリンクのためのパスロス参照を確定するためにさらに実行可能である、請求項１に記載のＵＥ。
【請求項６】
前記パスロス参照を確定することは、前記少なくとも１つのタイプ２ＳＣｅｌｌの前記上りリンクのための前記パスロス参照として、前記少なくとも１つのタイプ２ＳＣｅｌｌに対応する参照セルをセットすることを備える、請求項５に記載のＵＥ。
【請求項７】
前記パスロス参照を確定することは、前記少なくとも１つのタイプ２ＳＣｅｌｌの前記上りリンクのための前記パスロス参照として、プライマリセル（ＰＣｅｌｌ）またはセカンダリセル（ＳＣｅｌｌ）をセットすべきかどうかを確定することを備える、請求項５に記載のＵＥ。
【請求項８】
前記パスロス参照を確定することは、前記少なくとも１つのタイプ２ＳＣｅｌｌの前記上りリンクのための前記パスロス参照として、プライマリセル（ＰＣｅｌｌ）、または前記少なくとも１つのタイプ２ＳＣｅｌｌに対応する参照セルをセットすべきかどうかを確定することを備える、請求項５に記載のＵＥ。
【請求項９】
前記測定結果リストは、ｍｅａｓＲｅｓｕｌｔＦｒｅｑＬｉｓｔである、請求項１に記載のＵＥ。
【請求項１０】
前記測定結果は、参照信号受信電力（ＲＳＲＰ）測定結果および参照信号受信品質（ＲＳＲＱ）測定結果のうちの少なくとも１つを備える、請求項１に記載のＵＥ。
【請求項１１】
前記タイプ２ＳＣｅｌｌのタイプ２キャリアは、セル固有参照信号（ＣＲＳ）、プライマリ同期信号（ＰＳＳ）もセカンダリ同期信号（ＳＳＳ）も含まない、請求項１に記載のＵＥ。
【請求項１２】
タイプ２キャリアを取り扱うための基地局装置（ｅＮＢ）であって、
プロセッサと、
前記プロセッサと電子通信を行うメモリとを備え、前記メモリに記憶された命令は、
少なくとも１つのタイプ２セカンダリセル（ＳＣｅｌｌ）を含む１つ以上の在圏セルを用いた構成を確定し、
前記構成に基づく構成メッセージを送信して、
前記少なくとも１つのタイプ２ＳＣｅｌｌを除く前記１つ以上の在圏セルのそれぞれに関する測定結果を含む測定結果リストを受信する
ために実行可能である、
前記ｅＮＢ。
【請求項１３】
前記命令は、
前記少なくとも１つのタイプ２ＳＣｅｌｌに対応する少なくとも１つの参照セルを確定して、
参照セル・インジケータを送信する
ためにさらに実行可能である、請求項１２に記載のｅＮＢ。
【請求項１４】
前記命令は、前記少なくとも１つのタイプ２ＳＣｅｌｌの上りリンクのためのパスロス参照を確定するためにさらに実行可能である、請求項１２に記載のｅＮＢ。
【請求項１５】
前記命令は、パスロス参照インジケータを送信するためにさらに実行可能である、請求項１２に記載のｅＮＢ。
【請求項１６】
端末装置（ＵＥ）によってタイプ２キャリアを取り扱うための方法であって、
少なくとも１つのタイプ２セカンダリセル（ＳＣｅｌｌ）を含む１つ以上の在圏セルを用いた構成を適用するステップと、
前記少なくとも１つのタイプ２ＳＣｅｌｌを除く前記１つ以上の在圏セルのそれぞれに関する測定結果を取得するステップと、
前記少なくとも１つのタイプ２ＳＣｅｌｌを除く前記１つ以上の在圏セルのそれぞれに関する前記測定結果を含むように測定結果リストをセットするステップと、
前記測定結果リストを送信するステップと
を備える、前記方法。
【請求項１７】
前記少なくとも１つのタイプ２ＳＣｅｌｌに対応する参照セルを確定するステップをさらに備える、請求項１６に記載の方法。
【請求項１８】
前記少なくとも１つのタイプ２Ｓｃｅｌｌのための前記参照セルのセル固有参照信号（ＣＲＳ）、プライマリ同期信号（ＰＳＳ）およびセカンダリ同期信号（ＳＳＳ）からなる群のうちの少なくとも１つを利用するステップをさらに備える、請求項１７に記載の方法。
【請求項１９】
前記参照セルを確定するステップは、参照セル・インジケータを受信するステップを備える、請求項１７に記載の方法。
【請求項２０】
前記少なくとも１つのタイプ２ＳＣｅｌｌの上りリンクのためのパスロス参照を確定するステップをさらに備える、請求項１６に記載の方法。
【請求項２１】
前記パスロス参照を確定するステップは、前記少なくとも１つのタイプ２ＳＣｅｌｌの前記上りリンクのための前記パスロス参照として、前記少なくとも１つのタイプ２ＳＣｅｌｌに対応する参照セルをセットするステップを備える、請求項２０に記載の方法。
【請求項２２】
前記パスロス参照を確定するステップは、前記少なくとも１つのタイプ２ＳＣｅｌｌの前記上りリンクのための前記パスロス参照として、プライマリセル（ＰＣｅｌｌ）またはセカンダリセル（ＳＣｅｌｌ）をセットすべきかどうかを確定するステップを備える、請求項２０に記載の方法。
【請求項２３】
前記パスロス参照を確定するステップは、前記少なくとも１つのタイプ２ＳＣｅｌｌの前記上りリンクのための前記パスロス参照として、プライマリセル（ＰＣｅｌｌ）、または前記少なくとも１つのタイプ２ＳＣｅｌｌに対応する参照セルをセットすべきかどうかを確定するステップを備える、請求項２０に記載の方法。
【請求項２４】
前記測定結果リストは、ｍｅａｓＲｅｓｕｌｔＦｒｅｑＬｉｓｔである、請求項１６に記載の方法。
【請求項２５】
前記測定結果は、参照信号受信電力（ＲＳＲＰ）測定結果および参照信号受信品質（ＲＳＲＱ）測定結果のうちの少なくとも１つを備える、請求項１６に記載の方法。
【請求項２６】
前記タイプ２ＳＣｅｌｌのタイプ２キャリアは、セル固有参照信号（ＣＲＳ）、プライマリ同期信号（ＰＳＳ）もセカンダリ同期信号（ＳＳＳ）も含まない、請求項１６に記載の方法。
【請求項２７】
基地局装置（ｅＮＢ）によってタイプ２キャリアを取り扱うための方法であって、
少なくとも１つのタイプ２セカンダリセル（ＳＣｅｌｌ）を含む１つ以上の在圏セルを用いた構成を確定するステップと、
前記構成に基づく構成メッセージを送信するステップと、
前記少なくとも１つのタイプ２ＳＣｅｌｌを除く前記１つ以上の在圏セルのそれぞれに関する測定結果を含む測定結果リストを受信するステップと
を備える、前記方法。
【請求項２８】
前記少なくとも１つのタイプ２ＳＣｅｌｌに対応する少なくとも１つの参照セルを確定するステップと、
参照セル・インジケータを送信するステップと
をさらに備える、請求項２７に記載の方法。
【請求項２９】
前記少なくとも１つのタイプ２ＳＣｅｌｌの上りリンクのためのパスロス参照を確定するステップをさらに備える、請求項２７に記載の方法。
【請求項３０】
パスロス参照インジケータを送信するステップをさらに備える、請求項２７に記載の方法。
【発明の詳細な説明】
【技術分野】
【０００１】
本開示は、一般に、通信システムに関する。より具体的には、本開示は、タイプ２キャリアを取り扱うためのシステムおよび方法に関する。
【背景技術】
【０００２】
ワイヤレス通信デバイスは、消費者ニーズを満たし、可搬性と便利さとを改善するためにより小さく、より強力になった。消費者は、ワイヤレス通信デバイスに依存するようになり、高信頼性のサービス、カバレッジエリアの拡大および機能性の向上を期待するようになった。ワイヤレス通信システムは、多数のワイヤレス通信デバイスに通信を提供し、それぞれのデバイスが基地局によるサービスを享受する。基地局は、ワイヤレス通信デバイスと通信するデバイスである。
【０００３】
ワイヤレス通信デバイスが進歩するにつれて、通信容量、速度、フレキシビリティおよび／または効率の向上が求められてきた。しかしながら、通信容量、速度、フレキシビリティおよび／または効率の向上がいくつかの問題を提起することがある。
【０００４】
例えば、ワイヤレス通信デバイスは、通信構造を用いて１つ以上のデバイスと通信する。しかしながら、用いられる通信構造は、限られたフレキシビリティおよび／または効率を提供するに過ぎない。この考察によって示されるように、通信のフレキシビリティおよび／または効率を向上させるシステムおよび方法が有益であろう。
【発明の概要】
【課題を解決するための手段】
【０００５】
本発明の一実施形態は、タイプ２キャリアを取り扱うための端末装置（ＵＥ：Ｕｓｅｒ  Ｅｑｕｉｐｍｅｎｔ）を開示し、ＵＥは、プロセッサと、プロセッサと電子通信を行うメモリとを備え、メモリに記憶された命令は、少なくとも１つのタイプ２セカンダリセル（ＳＣｅｌｌ）を含む１つ以上の在圏セルを用いた構成を適用し、少なくとも１つのタイプ２ＳＣｅｌｌを除く１つ以上の在圏セルのそれぞれに関する測定結果を取得し、少なくとも１つのタイプ２ＳＣｅｌｌを除く１つ以上の在圏セルのそれぞれに関する測定結果を含むように測定結果リストをセットして、測定結果リストを送信するために実行可能である。
【０００６】
本発明の別の実施形態は、タイプ２キャリアを取り扱うための基地局装置（ｅＮＢ：ｅｖｏｌｖｅｄ  Ｎｏｄｅ  Ｂ）を開示し、ｅＮＢは、プロセッサと、プロセッサと電子通信を行うメモリとを備え、メモリに記憶された命令は、少なくとも１つのタイプ２セカンダリセル（ＳＣｅｌｌ）を含む１つ以上の在圏セルを用いた構成を確定し、この構成に基づく構成メッセージを送信して、少なくとも１つのタイプ２ＳＣｅｌｌを除く１つ以上の在圏セルのそれぞれに関する測定結果を含む測定結果リストを受信するために実行可能である。
【０００７】
本発明の別の実施形態は、端末装置（ＵＥ）によってタイプ２キャリアを取り扱うための方法を開示し、方法は、少なくとも１つのタイプ２セカンダリセル（ＳＣｅｌｌ）を含む１つ以上の在圏セルを用いた構成を適用するステップと、少なくとも１つのタイプ２ＳＣｅｌｌを除く１つ以上の在圏セルのそれぞれに関する測定結果を取得するステップと、少なくとも１つのタイプ２ＳＣｅｌｌを除く１つ以上の在圏セルのそれぞれに関する測定結果を含むように測定結果リストをセットするステップと、測定結果リストを送信するステップとを備える。
【０００８】
本発明の別の実施形態は、基地局装置（ｅＮＢ）によってタイプ２キャリアを取り扱うための方法を開示し、方法は、少なくとも１つのタイプ２セカンダリセル（ＳＣｅｌｌ）を含む１つ以上の在圏セルを用いた構成を確定するステップと、この構成に基づく構成メッセージを送信するステップと、少なくとも１つのタイプ２ＳＣｅｌｌを除く１つ以上の在圏セルのそれぞれに関する測定結果を含む測定結果リストを受信するステップとを備える。
【図面の簡単な説明】
【０００９】
【図１】タイプ２キャリアを取り扱うためのシステムおよび方法が実装された１つ以上の基地局装置（ｅＮＢ）および１つ以上の端末装置（ＵＥ）の一構成を示すブロック図である。
【図２】タイプ２キャリアを取り扱うための方法の一構成を示すフロー図である。
【図３】タイプ２キャリアを取り扱うための方法の別の構成を示すフロー図である。
【図４】タイプ２キャリアを取り扱うための方法のより具体的な構成を示すフロー図である。
【図５】タイプ２キャリアを取り扱うための方法の別のより具体的な構成を示すフロー図である。
【図６】タイプ２キャリアを取り扱うための方法の別のより具体的な構成を示すフロー図である。
【図７】タイプ２キャリアを取り扱うための方法の別の構成を示すフロー図である。
【図８】タイプ２キャリアを取り扱うための方法の別の構成を示すフロー図である。
【図９】測定設定変数の構造の例を示すブロック図である。
【図１０】測定報告リストの構造の一例を示すブロック図である。
【図１１】無線リソース制御（ＲＲＣ：Ｒａｄｉｏ  Ｒｅｓｏｕｒｃｅ  Ｃｏｎｔｒｏｌ）接続再設定メッセージ構造を示すブロック図である。
【図１２】測定設定（ｍｅａｓＣｏｎｆｉｇ）の例を示すブロック図である。
【図１３】ＵＥにおいて利用される様々なコンポーネントを示す。
【図１４】ｅＮＢにおいて利用される様々なコンポーネントを示す。
【図１５】タイプ２キャリアを取り扱うためのシステムおよび方法が実装されたＵＥの一構成を示すブロック図である。
【図１６】タイプ２キャリアを取り扱うためのシステムおよび方法が実装されたｅＮＢの一構成を示すブロック図である。
【発明を実施するための形態】
【００１０】
タイプ２キャリアを取り扱うためのＵＥが記載される。ＵＥは、プロセッサと、プロセッサと電子通信を行うメモリとを含む。実行可能な命令は、メモリに記憶される。ＵＥは、少なくとも１つのタイプ２セカンダリセル（ＳＣｅｌｌ）を含む１つ以上の在圏セルを用いた構成を適用する。ＵＥは、また、少なくとも１つのタイプ２ＳＣｅｌｌを除く１つ以上の在圏セルのそれぞれに関する測定結果を取得する。ＵＥは、さらに、少なくとも１つのタイプ２ＳＣｅｌｌを除く１つ以上の在圏セルのそれぞれに関する測定結果を含むように測定結果リストをセットする。加えて、ＵＥは、測定結果リストを送信する。
【００１１】
ＵＥは、少なくとも１つのタイプ２ＳＣｅｌｌに対応する参照セルを確定する。参照セルを確定するステップは、参照セル・インジケータを受信することを含む。
【００１２】
ＵＥは、少なくとも１つのタイプ２Ｓｃｅｌｌのための参照セルのセル固有参照信号（ＣＲＳ：Ｃｅｌｌ−Ｓｐｅｃｉｆｉｃ  Ｒｅｆｅｒｅｎｃｅ  Ｓｉｇｎａｌ）、プライマリ同期信号（ＰＳＳ：Ｐｒｉｍａｒｙ  Ｓｙｎｃｈｒｏｎｉｚａｔｉｏｎ  Ｓｉｇｎａｌ）およびセカンダリ同期信号（ＳＳＳ：Ｓｅｃｏｎｄａｒｙ  Ｓｙｎｃｈｒｏｎｉｚａｔｉｏｎ  Ｓｉｇｎａｌ）のうちの少なくとも１つを利用できる。タイプ２Ｓｃｅｌｌのタイプ２キャリアは、ＣＲＳ、ＰＳＳもＳＳＳも含まない。
【００１３】
ＵＥは、少なくとも１つのタイプ２ＳＣｅｌｌの上りリンクのためのパスロス参照を確定する。パスロス参照を確定するステップは、少なくとも１つのタイプ２ＳＣｅｌｌの上りリンクのためのパスロス参照として、少なくとも１つのタイプ２ＳＣｅｌｌに対応する参照セルをセットすることを含んでもよい。パスロス参照を確定するステップは、少なくとも１つのタイプ２ＳＣｅｌｌの上りリンクのためのパスロス参照として、プライマリセル（ＰＣｅｌｌ：ｐｒｉｍａｒｙ  ｃｅｌｌ）またはセカンダリセル（ＳＣｅｌｌ：ｓｅｃｏｎｄａｒｙ  ｃｅｌｌ）をセットするかどうかを確定することを含んでもよい。パスロス参照を確定するステップは、少なくとも１つのタイプ２ＳＣｅｌｌの上りリンクのためのパスロス参照として、プライマリセル（ＰＣｅｌｌ）または少なくとも１つのタイプ２ＳＣｅｌｌに対応する参照セルをセットするかどうかを確定することを含んでもよい。
【００１４】
測定結果リストは、ｍｅａｓＲｅｓｕｌｔＦｒｅｑＬｉｓｔである。測定結果は、参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）測定結果および参照信号受信品質（ＲＳＲＱ：Ｒｅｆｅｒｅｎｃｅ  Ｓｉｇｎａｌ  Ｒｅｃｅｉｖｅｄ  Ｑｕａｌｉｔｙ）測定結果のうちの少なくとも１つを含む。
【００１５】
タイプ２キャリアを取り扱うための基地局装置（ｅＮＢ）も記載される。ｅＮＢは、プロセッサと、プロセッサと電子通信を行うメモリとを含む。実行可能な命令は、メモリに記憶される。ｅＮＢは、少なくとも１つのタイプ２ＳＣｅｌｌを含む１つ以上の在圏セルを用いた構成を確定する。ｅＮＢは、また、この構成に基づく構成メッセージを送信する。ｅＮＢは、さらに、少なくとも１つのタイプ２ＳＣｅｌｌを除く１つ以上の在圏セルのそれぞれに関する測定結果を含む測定結果リストを受信する。
【００１６】
ｅＮＢは、少なくとも１つのタイプ２ＳＣｅｌｌに対応する少なくとも１つの参照セルを確定する。ｅＮＢは、また、参照セル・インジケータを送信する。
【００１７】
ｅＮＢは、少なくとも１つのタイプ２ＳＣｅｌｌの上りリンクのためのパスロス参照を確定する。ｅＮＢは、パスロス参照インジケータを送信する。
【００１８】
ＵＥによってタイプ２キャリアを取り扱うための方法も記載される。方法は、少なくとも１つのタイプ２ＳＣｅｌｌを含む１つ以上の在圏セルを用いた構成を適用するステップを含む。方法は、少なくとも１つのタイプ２ＳＣｅｌｌを除く１つ以上の在圏セルのそれぞれに関する測定結果を取得するステップも含む。方法は、少なくとも１つのタイプ２ＳＣｅｌｌを除く１つ以上の在圏セルのそれぞれに関する測定結果を含むように測定結果リストをセットするステップをさらに含む。加えて、方法は、測定結果リストを送信するステップを含む。
【００１９】
ｅＮＢによってタイプ２キャリアを取り扱うための方法も記載される。ｅＮＢは、少なくとも１つのタイプ２ＳＣｅｌｌを含む１つ以上の在圏セルを用いた構成を確定するステップを含む。方法は、この構成に基づく構成メッセージを送信するステップも含む。加えて、方法は、少なくとも１つのタイプ２ＳＣｅｌｌを除く１つ以上の在圏セルのそれぞれに関する測定結果を含む測定結果リストを受信するステップを含む。
【００２０】
「３ＧＰＰ」とも呼ばれる第３世代パートナーシップ・プロジェクト（３ｒｄ  Ｇｅｎｅｒａｔｉｏｎ  Ｐａｒｔｎｅｒｓｈｉｐ  Ｐｒｏｊｅｃｔ）は、第３および第４世代ワイヤレス通信システムに関する世界的に適用可能な技術仕様および技術報告を規定することを目指した連携合意である。３ＧＰＰは、次世代モバイル・ネットワーク、システム、およびデバイスに関する仕様を規定する。
【００２１】
３ＧＰＰロング・ターム・エボリューション（ＬＴＥ：Ｌｏｎｇ  Ｔｅｒｍ  Ｅｖｏｌｕｔｉｏｎ）は、将来の要求に対処すべくユニバーサル・モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）モバイルフォンまたはデバイス規格を改善するためのプロジェクトに与えられた名称である。一態様において、ＵＭＴＳは、進化型ユニバーサル地上無線アクセス（Ｅ−ＵＴＲＡ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）および進化型ユニバーサル地上無線アクセス・ネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）にサポートおよび仕様を提供するために修正された。
【００２２】
本明細書に開示されるシステムおよび方法の少なくともいくつかの態様は、３ＧＰＰ  ＬＴＥ、ＬＴＥアドバンスト（ＬＴＥ−Ａ：ＬＴＥ−Ａｄｖａｎｃｅｄ）および他の規格（例えば、３ＧＰＰリリース８、９、１０および／または１１）に関して記載される。しかしながら、本開示の範囲は、この点で限定されるべきではない。本明細書に開示されるシステムおよび方法の少なくともいくつかの態様は、他のタイプのワイヤレス通信システムに利用されてもよい。
【００２３】
ワイヤレス通信デバイスは、音声および／またはデータを基地局へ通信するために用いられる電子デバイスであり、次には基地局がデバイスのネットワーク（例えば、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、インターネットなど）と通信する。本明細書にシステムおよび方法を記載する際に、ワイヤレス通信デバイスは、代わりに、移動局、ＵＥ、アクセス端末、加入者局、移動端末、遠隔局、ユーザ端末、端末、加入者ユニット、モバイルデバイスなどと呼ばれることがある。ワイヤレス通信デバイスの例は、セルラーフォン、スマートフォン、携帯情報端末（ＰＤＡ：ｐｅｒｓｏｎａｌ  ｄｉｇｉｔａｌ  ａｓｓｉｓｔａｎｔ）、ラップトップコンピュータ、ネットブック、電子書籍リーダ、ワイヤレス・モデムなどを含む。３ＧＰＰ仕様では、ワイヤレス通信デバイスは、典型的にＵＥと呼ばれる。しかしながら、本開示の範囲は、３ＧＰＰ規格に限定されるべきではないので、より一般的な用語「ワイヤレス通信デバイス」を意味するために、本明細書では用語「ＵＥ」および「ワイヤレス通信デバイス」が同義で用いられる。
【００２４】
３ＧＰＰ仕様では、基地局は、典型的にＮｏｄｅ  Ｂ、ｅＮＢ、ｈｏｍｅ  ｅｎｈａｎｃｅｄまたはｅｖｏｌｖｅｄ  Ｎｏｄｅ  Ｂ（ＨｅＮＢ）あるいはいくつか他の同様の用語で呼ばれる。本開示の範囲は、３ＧＰＰ規格に限定されるべきではないので、より一般的な用語「基地局」を意味するために、本明細書では用語「基地局」、「Ｎｏｄｅ  Ｂ」、「ｅＮＢ」および「ＨｅＮＢ」が同義で用いられる。さらにまた、用語「基地局」は、アクセスポイントを示すために用いられてもよい。アクセスポイントは、ワイヤレス通信デバイスのためにネットワーク（例えば、ローカルエリアネットワーク（ＬＡＮ：Ｌｏｃａｌ  Ａｒｅａ  Ｎｅｔｗｏｒｋ）、インターネットなど）へのアクセスを提供する電子デバイスである。用語「通信デバイス」は、ワイヤレス通信デバイスおよび／または基地局の両方を示すために用いられる。
【００２５】
留意すべきは、本明細書では、「セル」がインターナショナル・モバイル・テレコミュニケーションズ−アドバンスト（ＩＭＴ−Ａｄｖａｎｃｅｄ：Ｉｎｔｅｒｎａｔｉｏｎａｌ  Ｍｏｂｉｌｅ  Ｔｅｌｅｃｏｍｍｕｎｉｃａｔｉｏｎｓ−Ａｄｖａｎｃｅｄ）に用いるべく規格化または規制団体によって仕様が定められたいずれかの通信チャネルであり、ｅＮＢとＵＥとの間の通信に用いるライセンス取得バンド（例えば、周波数バンド）として、そのすべてまたはそのサブセットが３ＧＰＰによって採用されることである。「設定されたセル（ｃｏｎｆｉｇｕｒｅｄ  ｃｅｌｌ）」は、ＵＥが認識しており、情報を送信または受信することがｅＮＢによって許可されたセルである。「設定されたセル（単数または複数）」は、在圏セル（単数または複数）であってよい。ＵＥは、システム情報を受信して、すべての設定されたセル上で必要な測定を行う。「アクティブ化されたセル（ａｃｔｉｖａｔｅｄ  ｃｅｌｌ）」は、ＵＥが送受信を行っている設定されたセルである。すなわち、アクティブ化されたセルは、ＵＥが物理下りリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）をモニタする対象となるセルであり、下りリンク送信の場合には、ＵＥが物理下りリンク共有チャネル（ＰＤＳＣＨ：Ｐｈｙｓｉｃａｌ  Ｄｏｗｎｌｉｎｋ  Ｓｈａｒｅｄ  ｃｈａｎｎｅｌ）を復号する対象となるセルである。「非アクティブ化されたセル（ｄｅａｃｔｉｖａｔｅｄ  ｃｅｌｌ）」は、ＵＥが送信ＰＤＣＣＨをモニタしていない設定されたセルである。留意すべきは、「セル」が異なる次元の観点から記載されることである。例えば、「セル」は、時間、空間（例えば、幾何形状）および周波数特性を有する。便宜上、本明細書では次のようにいくつかの頭字語または略語が用いられる、すなわち、無線アクセス技術（ＲＡＴ：Ｒａｄｉｏ  Ａｃｃｅｓｓ  Ｔｅｃｈｎｏｌｏｇｙ）、リソース・ブロック（ＲＢ：Ｒｅｓｏｕｒｃｅ  Ｂｌｏｃｋ）、媒体アクセス制御（ＭＡＣ：Ｍｅｄｉｕｍ  Ａｃｃｅｓｓ  Ｃｏｎｔｒｏｌ）、情報要素（ＩＥ：Ｉｎｆｏｒｍａｔｉｏｎ  Ｅｌｅｍｅｎｔ）、無線リソース管理（ＲＲＭ：Ｒａｄｉｏ  Ｒｅｓｏｕｒｃｅ  Ｍａｎａｇｅｍｅｎｔ）、プライマリセル（ＰＣｅｌｌ）、セカンダリセル（ＳＣｅｌｌ）、参照信号受信電力（ＲＳＲＰ）および参照信号受信品質（ＲＳＲＱ）。
【００２６】
キャリアアグリゲーションが構成されているとき、ＵＥは、ネットワークと１つだけの無線リソース制御（ＲＲＣ）接続を有する。プライマリセル（ＰＣｅｌｌ）は、プライマリ周波数で動作し、ＵＥが初期接続確立手順を行うかまたは接続再確立手順を開始する在圏セルであり、あるいはハンドオーバ手順でプライマリセルとして指示されるセルである。ＰＣｅｌｌは、非アクセス層（ＮＡＳ：ｎｏｎ−ａｃｃｅｓｓ  ｓｔｒａｔｕｍ）モビリティ情報（例えば、トラッキングエリア識別子（ＴＡＩ：Ｔｒａｃｋｉｎｇ  Ａｒｅａ  Ｉｄｅｎｔｉｔｙ））およびセキュリティ入力を供給する。セカンダリセル（ＳＣｅｌｌ）は、セカンダリ周波数で動作するセルであり、ＲＲＣ接続が一旦確立すると設定されて、追加の無線リソースを提供するために用いられる。
【００２７】
下りリンクでは、ＰＣｅｌｌに対応するコンポーネントキャリア（ＣＣ：ｃｏｍｐｏｎｅｎｔ  ｃａｒｒｉｅｒ）は、下りリンク・プライマリコンポーネントキャリア（ＤＬ  ＰＣＣ：ｄｏｗｎｌｉｎｋ  ｐｒｉｍａｒｙ  ｃｏｍｐｏｎｅｎｔ  ｃａｒｒｉｅｒ）である。上りリンクでは、ＰＣｅｌｌに対応するＣＣは、上りリンク・プライマリコンポーネントキャリア（ＵＬ  ＰＣＣ：ｕｐｌｉｎｋ  ｐｒｉｍａｒｙ  ｃｏｍｐｏｎｅｎｔ  ｃａｒｒｉｅｒ）である。ＵＥのケイパビリティに依存して、ＰＣｅｌｌとともに在圏セルのセットを形成するために、１つ以上のＳＣｅｌｌが設定される。下りリンクでは、セカンダリセル（ＳＣｅｌｌ）に対応するＣＣは、下りリンク・セカンダリコンポーネントキャリア（ＤＬ  ＳＣＣ：ｄｏｗｎｌｉｎｋ  ｓｅｃｏｎｄａｒｙ  ｃｏｍｐｏｎｅｎｔ  ｃａｒｒｉｅｒ）である。上りリンクでは、セカンダリセル（ＳＣｅｌｌ）に対応するＣＣは、上りリンク・セカンダリコンポーネントキャリア（ＵＬ  ＳＣＣ：ｕｐｌｉｎｋ  ｓｅｃｏｎｄａｒｙ  ｃｏｍｐｏｎｅｎｔ  ｃａｒｒｉｅｒ）である。１つの下りリンクＣＣを複数のセルが共有するため、下りリンクＣＣの数は、上りリンクＣＣの数とは異なってもよい。
【００２８】
キャリアアグリゲーションが構成されている場合、ＵＥは、複数の在圏セル、すなわち、ＰＣｅｌｌおよび１つ以上のＳＣｅｌｌを有しうる。ネットワークの視点からは、在圏セルが１つのＵＥによってＰＣｅｌｌとして用いられ、別のＵＥによってＳＣｅｌｌとして用いられてもよい。キャリアアグリゲーションが構成されていない場合には、単一の在圏セルをＰＣｅｌｌが動作させる。キャリアアグリゲーションが構成されている場合、ＰＣｅｌｌに加えて１つ以上のＳＣｅｌｌがあってよい。キャリアアグリゲーションを用いる１つの利益は、追加の下りリンクおよび／または上りリンク・データを送信できることである。追加の下りリンク・データの結果として、追加の上りリンク制御情報（ＵＣＩ：ｕｐｌｉｎｋ  ｃｏｎｔｒｏｌ  ｉｎｆｏｒｍａｔｉｏｎ）が必要とされる。
【００２９】
予想されるリリース１１仕様は、追加のキャリアタイプを導入する。（タイプ２キャリアと呼ばれる）追加のキャリアタイプは、ＣＲＳ（セル固有参照信号）、ＰＳＳ（プライマリ同期信号）およびＳＳＳ（セカンダリ同期信号）をいずれも有さない。ＵＥがキャリアアグリゲーションを用いて構成され、設定された在圏セルのキャリアにタイプ２キャリアが含まれる場合、ＵＥは、これら２つの在圏セルが同期されることを前提として、タイプ２キャリアの在圏セルを同期させるために（タイプ１キャリアと呼ばれる）レガシータイプ・キャリアの在圏セルを用いることができる。言い換えれば、タイプ２キャリアがタイプ１キャリアと同期される。レガシー・キャリアタイプは、ＰＳＳ、ＳＳＳおよびＣＲＳを有する（例えば、通常、すべてのサブフレーム（１ミリ秒（ｍｓ））がＣＲＳを有する）。
【００３０】
（タイプ３キャリアと呼ばれる）別のキャリアタイプがあり、このキャリアは、ＰＳＳおよびＳＳＳを有し、削減された（例えば、ＣＲＳの周期が１ｍｓから５ｍｓに削減され、ＣＲＳのバンド幅が削減された）ＣＲＳを有しても有さなくてもよい。ＵＥは、タイプ３キャリアをもつセルのＰＳＳおよびＳＳＳを用いることによってタイプ３キャリアとの同期を達成できる。
【００３１】
予想されるリリース１２仕様では、このタイプ２キャリアおよびタイプ３キャリアが導入される。タイプ１キャリアをもつ在圏セル、タイプ２キャリアをもつ在圏セルおよびタイプ３キャリアをもつ在圏セルは、本明細書では、それぞれタイプ１在圏セル、タイプ２在圏セルおよびタイプ３在圏セルと呼ばれる。タイプ１キャリアをもつＰＣｅｌｌおよびタイプ３キャリアをもつＰＣｅｌｌは、本明細書では、それぞれタイプ１ＰＣｅｌｌおよびタイプ３ＰＣｅｌｌと呼ばれる。タイプ１キャリアをもつＳＣｅｌｌ、タイプ２キャリアをもつＳＣｅｌｌおよびタイプ３キャリアをもつＳＣｅｌｌは、本明細書では、それぞれタイプ１ＳＣｅｌｌ、タイプ２ＳＣｅｌｌおよびタイプ３ＳＣｅｌｌと呼ばれる。タイプ２キャリアがＰＣｅｌｌに用いられることはない。
【００３２】
予想されるリリース１１仕様によれば、ＵＥがｍｅａｓＣｏｎｆｉｇを有するときはいつも、ＵＥは、在圏セルごとにＲＳＲＰおよびＲＳＲＱ測定を行う。測定報告手順がトリガされたｍｅａｓＩｄに対して、ＵＥは、次のようにｍｅａｓＲｅｓｕｌｔｓをＭｅａｓｕｒｅｍｅｎｔＲｅｐｏｒｔメッセージ内にセットする。ＵＥは、もしあれば、設定されたＳＣｅｌｌごとに該当するＳＣｅｌｌの数量をｍｅａｓＲｅｓｕｌｔＳＣｅｌｌ内に含むようにｍｅａｓＲｅｓｕｌｔＳｅｒｖＦｒｅｑＬｉｓｔをセットする。しかしながら、タイプ２キャリアに関する測定は行われることがなく、タイプ２キャリアに関する測定結果は、測定結果に含まれない。
【００３３】
予想されるリリース１１仕様では、在圏セルの上りリンクのためのパスロス参照がＵＥ固有のＲＲＣ専用シグナリングによって指定される。そのうえ、ＵＥが、パスロス参照として、この上りリンクと対応するＰＣｅｌｌまたはＳＣｅｌｌの下りリンクのいずれを適用すべきであるかどうかをｐａｔｈｌｏｓｓＲｅｆｅｒｅｎｃｅＬｉｎｋｉｎｇが指示する。セカンダリＴＡＧ（タイミングアドバンスグループ：Ｔｉｍｉｎｇ  Ａｄｖａｎｃｅ  Ｇｒｏｕｐ）の一部であるＳＣｅｌｌでは、Ｅ−ＵＴＲＡＮは、数値をｓＣｅｌｌ（例えば、この上りリンクと対応するＳＣｅｌｌの下りリンク）にセットする。しかしながら、タイプ２キャリアは、ＣＲＳを有さないのでパスロス参照ではありえない。
【００３４】
ＵＥは、タイプ１キャリアとタイプ２キャリアとで、ＲＲＭ測定に関し異なる手順を有する必要がある。本明細書に開示されるシステムおよび方法のいくつかの構成は、タイプ２ＳＣｅｌｌに関する測定結果をどのように報告すべきかを記載する。ＵＥは、タイプ１キャリアとタイプ２キャリアとで、参照セルに関し異なる手順を有する必要がある。本明細書に開示されるシステムおよび方法のいくつかの構成は、タイプ２ＳＣｅｌｌに関する参照セルをどのように構成すべきかを記載する。
【００３５】
特に、本明細書に開示されるシステムおよび方法のいくつかの構成は、タイプ２キャリア測定の取り扱い方を記載する。ＵＥは、タイプ２在圏セルを除く、在圏セルごとにＲＳＲＰ測定およびＲＳＲＱ測定のうちの１つ以上を行う。ＵＥは、ＰＣｅｌｌの数量を含むようにｍｅａｓＲｅｓｕｌｔＰＣｅｌｌをセットする。ＵＥは、もしあれば、設定されたタイプ２ＳＣｅｌｌではないＳＣｅｌｌごとに該当するＳＣｅｌｌの数量をｍｅａｓＲｅｓｕｌｔＳＣｅｌｌ内に含むようにｍｅａｓＲｅｓｕｌｔＳｅｒｖＦｒｅｑＬｉｓｔをセットする。ＵＥは、タイプ２在圏セルを除く、在圏セルごとのＲＳＲＰおよびＲＳＲＱ測定の結果を送信する。ｅＮＢは、タイプ２キャリアを除くキャリア周波数を測定設定に含める。本明細書に開示されるシステムおよび方法の１つの利益は、ＵＥおよびｅＮＢが追加のキャリアタイプを効率的に取り扱いうることである。
【００３６】
本明細書に開示されるシステムおよび方法のいくつかの構成は、タイプ２キャリア参照の取り扱い方を記載する。特に、参照セルは、タイプ２ＳＣｅｌｌのために次のように設定される。ｅＮＢは、タイプ２ＳＣｅｌｌおよびタイプ２ＳＣｅｌｌに対応する参照セルを用いてＵＥを構成する。ＵＥは、タイプ２ＳＣｅｌｌのための参照セルのＣＲＳ、ＰＳＳおよびＳＳＳのうちの１つ以上を用いることができる。
【００３７】
第１のアプローチでは、タイプ２ＳＣｅｌｌを用いて構成されたＵＥは、タイプ２ＳＣｅｌｌの上りリンクのためのパスロス参照として、タイプ２ＳＣｅｌｌに対応する参照セルを用いる。第２のアプローチでは、タイプ２ＳＣｅｌｌを用いて構成されたＵＥに関して、タイプ２ＳＣｅｌｌの上りリンクのためのパスロス参照として、ＰＣｅｌｌまたはＳＣｅｌｌが設定される。タイプ２ＳＣｅｌｌの上りリンクのためのパスロス参照としてＳＣｅｌｌが設定される場合、ＵＥは、パスロス参照として、タイプ２ＳＣｅｌｌの参照セルを用いる。タイプ２ＳＣｅｌｌの上りリンクのためのパスロス参照としてＰＣｅｌｌが設定される場合、ＵＥは、パスロス参照として、タイプ２ＳＣｅｌｌのＰＣｅｌｌを用いる。第３のアプローチでは、タイプ２ＳＣｅｌｌを用いて構成されたＵＥに関して、タイプ２ＳＣｅｌｌの上りリンクのためのパスロス参照として、ＰＣｅｌｌ、またはタイプ２ＳＣｅｌｌと対応する参照セルが設定される。
【００３８】
いくつかの実装では、タイプ２ＳＣｅｌｌのための参照セルは、ＰＣｅｌｌである。このケースでは、ｅＮＢは、タイプ２ＳＣｅｌｌ（単数または複数）を用いてＵＥを構成する。そのうえ、ＵＥは、タイプ２ＳＣｅｌｌ（単数または複数）のためにＰＣｅｌｌのＣＲＳ、ＰＳＳ、ＳＳＳおよびパスロスのうちの１つ以上を用いることができる。本明細書に開示されるシステムおよび方法の１つの利益は、ＵＥおよびｅＮＢが追加のキャリアタイプを効率的に取り扱いうることである。
【００３９】
明確さおよび文脈のために、説明を交えた３ＧＰＰ  ＴＳ３６．３３１仕様の諸部分が以下のセクションに含まれる。ＲＲＭ測定に関するさらなる詳細が次のように示される。ＲＲＭ測定は、ＲＲＣ層におけるセル間モビリティの管理を主な目的として定義される。ＵＥは、測定情報をＥ−ＵＴＲＡＮ（例えば、在圏ｅＮＢ、隣接ｅＮＢ、ネットワークなど）により提供された測定設定に従って報告する。Ｅ−ＵＴＲＡＮは、専用シグナリングにより、すなわち、‘ＲＲＣＣｏｎｎｅｃｔｉｏｎＲｅｃｏｎｆｉｇｕｒａｔｉｏｎ’メッセージを用いて、ＲＲＣ＿ＣＯＮＮＥＣＴＥＤ状態でＵＥに適用可能な測定設定（ＭｅａｓＣｏｎｆｉｇ）を提供する。
【００４０】
次のタイプの測定を行うようにＵＥにリクエストできる。
【００４１】
−周波数内測定：在圏セル（単数または複数）の下りリンク・キャリア周波数（単数または複数）における測定。
【００４２】
−周波数間測定：在圏セル（単数または複数）の下りリンク・キャリア周波数（単数または複数）のいずれとも異なる周波数における測定。
【００４３】
−ＲＡＴ間測定
【００４４】
測定設定は、次のパラメータを含む。
【００４５】
１．‘測定対象’：ＵＥが測定を行うべき対象。
【００４６】
−周波数内および周波数間測定では、測定対象は、単一のＥ−ＵＴＲＡキャリア周波数である。このキャリア周波数と関連して、Ｅ−ＵＴＲＡＮは、セル固有オフセットのリストおよび‘ブラックリスト’セルのリストを設定できる。ブラックリスト・セルは、イベント評価または測定報告では考慮されない。
【００４７】
２．‘報告設定’：各報告設定が次からなる報告設定のリスト。
【００４８】
−報告判定基準：測定報告を送信するようにＵＥをトリガする判定基準。これは、周期的または単一イベント記述のいずれかとすることができる。
【００４９】
−報告フォーマット：ＵＥが測定報告に含める数量および関連情報（例えば、報告すべきセルの数）。
【００５０】
３．‘測定識別子’：測定識別子のリストであり、各測定識別子は、１つの測定対象を１つの報告設定とリンクさせる。複数の測定識別子を設定することによって、１つより多い報告設定を同じ測定対象にリンクさせるだけでなく、１つより多い測定対象を同じ報告設定にリンクさせることが可能である。測定識別子は、測定報告における参照番号として用いられる。
【００５１】
４．‘数量設定’：ＲＡＴタイプごとに１つの数量設定が設定される。数量設定は、測定量と、その測定タイプに関するすべてのイベント評価および報告に用いられる関連フィルタリングとを定義する。測定量ごとに１つのフィルタを設定できる。
【００５２】
５．‘測定ギャップ’：ＵＥが測定を行うために用いる、すなわち、（ＵＬ，ＤＬ）送信が何もスケジュールされていない期間。
【００５３】
Ｅ−ＵＴＲＡＮは、所与の周波数に対して単一の測定対象を設定するに過ぎない、すなわち、異なる関連パラメータ、例えば、異なるオフセットおよび／またはブラックリストをもつ同じ周波数に対して２つ以上の測定対象を設定することはできない。Ｅ−ＵＴＲＡＮは、例えば、異なる閾値をもつ２つの報告設定を設定することによって、同じイベントの複数のインスタンスを設定する。
【００５４】
ＵＥは、単一の測定対象リスト、単一の報告設定リスト、および単一の測定識別子リストを保持する。測定対象リストは、ＲＡＴタイプごとに指定され、場合により周波数内対象（単数または複数）（すなわち、在圏周波数（単数または複数）に対応する対象（単数または複数））、周波数間対象（単数または複数）を含む測定対象と、ＲＡＴ間対象とを含む。同様に、報告設定リストは、Ｅ−ＵＴＲＡおよびＲＡＴ間報告設定を含む。任意の測定対象が同じＲＡＴタイプの任意の報告設定にリンクできる。いくつかの報告設定は、測定対象にリンクされない。同様に、いくつかの測定対象は、報告設定にリンクされない。
【００５５】
測定手順は、次のタイプのセルを区別する。
【００５６】
１．在圏セル（単数または複数）−これらは、ＣＡをサポートするＵＥのために設定される場合にはＰＣｅｌｌおよび１つ以上のＳＣｅｌｌである。
【００５７】
２．リストされたセル−これらは、測定対象（単数または複数）内にリストされたセルである。
【００５８】
３．検出されたセル−これらは、測定対象（単数または複数）内にリストされていないが、測定対象（単数または複数）により指示されたキャリア周波数（単数または複数）上でＵＥによって検出されたセルである。
【００５９】
Ｅ−ＵＴＲＡでは、ＵＥは、在圏セル（単数または複数）、リストされたセルおよび検出されたセル上で測定および報告を行う。ＵＥは、物理層セル識別子を含んだ明示的な周波数内隣接セル・リストなしに、新しい周波数内セルを識別して、識別された周波数内セルのＲＳＲＰ測定を行うことが可能であるものとする。ＲＲＣ＿ＣＯＮＮＥＣＴＥＤ状態の間に、ＵＥは、識別された周波数内セルを連続的に測定し、加えて、新しい周波数内セルを検索して識別するものとする。ＵＥは、ＰＣｅｌｌによってキャリア周波数情報が提供された場合、たとえ物理層セル識別子をもつ明示的な隣接リストが提供されなくても、新しい周波数間セルを識別して、識別された周波数間セルのＲＳＲＰ測定を行うことが可能であるものとする。
【００６０】
すべての測定結果に対して、ＵＥは、報告判定基準の評価または測定報告に測定結果を用いる前に、レイヤ３フィルタリングを適用する。ＵＥは、ＵＥが‘ｍｅａｓＣｏｎｆｉｇ’を有するときはいつでも、在圏セルごとにＲＳＲＰおよびＲＳＲＱ測定を行うものとする。
【００６１】
ＵＥは、測定ギャップ設定がセットアップされているか、またはＵＥが該当する測定を行うために測定ギャップを必要としない場合、ｓ−Ｍｅａｓｕｒｅが設定されないか、あるいはｓ−Ｍｅａｓｕｒｅが設定されてレイヤ３フィルタリング後のＰＣｅｌｌのＲＳＲＰがこの値より低ければ、該当するｍｅａｓＯｂｊｅｃｔにおいて指示された周波数およびＲＡＴ上で隣接セルの対応する測定を行うものとする。
【００６２】
ＲＲＭ測定では、ＣＲＳ（セル固有参照信号）に関してＲＳＲＰおよびＲＳＲＱが測定される。測定報告手順がトリガされた‘ｍｅａｓＩｄ’に対して、ＵＥは、‘ｍｅａｓＲｅｓｕｌｔｓ’を‘ＭｅａｓｕｒｅｍｅｎｔＲｅｐｏｒｔ’メッセージ内にセットして、測定結果をＵＥからＥ−ＵＴＲＡＮへ転送する送信のために‘ＭｅａｓｕｒｅｍｅｎｔＲｅｐｏｒｔ’メッセージを下位層へ提出するものとする。
【００６３】
‘ＲＲＣＣｏｎｎｅｃｔｉｏｎＲｅｃｏｎｆｉｇｕｒａｔｉｏｎ’メッセージは、ＲＲＣ接続を修正するためのコマンドである。このメッセージは、任意の関連する専用ＮＡＳ情報およびセキュリティ設定を含めて、測定設定、モビリティ制御、（ＲＢ、ＭＡＣ主設定および物理チャネル設定を含む）無線リソース設定に関する情報を伝える。
【００６４】
ＩＥ‘ＭｅａｓＣｏｎｆｉｇ’は、ＵＥによって行われることになる測定を指定し、周波数内、周波数間およびＲＡＴ間モビリティならびに測定ギャップの設定をカバーする。ＩＥ‘ｍｅａｓＩｄ’は、測定設定、すなわち、測定対象と報告設定とのリンキングを識別するために用いられる。
【００６５】
ＩＥ‘ＭｅａｓＩｄＴｏＡｄｄＭｏｄＬｉｓｔ’は、追加または修正する測定識別子のリストに関係し、エントリごとに‘ｍｅａｓＩｄ’、関連する‘ｍｅａｓＯｂｊｅｃｔＩｄ’および関連する‘ｒｅｐｏｒｔＣｏｎｆｉｇＩｄ’を伴う。ＩＥ‘ＭｅａｓＯｂｊｅｃｔＴｏＡｄｄＭｏｄＬｉｓｔ’は、追加または修正する測定対象のリストに関わる。このリストは、ｍｅａｓＯｂｊｅｃｔＩｄとｍｅａｓＯｂｊｅｃｔとをリンクさせることができる。
【００６６】
ＩＥ‘ＭｅａｓＯｂｊｅｃｔＥＵＴＲＡ’は、周波数内または周波数間Ｅ−ＵＴＲＡセルに適用可能な情報を指定する。ＩＥ‘ＲｅｐｏｒｔＣｏｎｆｉｇＥＵＴＲＡ’は、Ｅ−ＵＴＲＡ測定報告イベントのトリガに関する判定基準を指定する。トリガタイプは、イベントトリガまたは周期的トリガにセットできる。Ｅ−ＵＴＲＡ測定報告イベントは、Ａ‘Ｎ’とラベル付けできて、‘Ｎ’は、１、２などに等しい。
【００６７】
イベントＡ１：在圏セルが絶対閾値より良くなる。
【００６８】
イベントＡ２：在圏セルが絶対閾値より悪くなる。
【００６９】
イベントＡ３：隣接セルがＰＣｅｌｌより良いオフセット量になる。
【００７０】
イベントＡ４：隣接セルが絶対閾値より良くなる。
【００７１】
イベントＡ５：ＰＣｅｌｌが絶対閾値１より悪くなり、且つ
【００７２】
隣接セルが別の絶対閾値２より良くなる。
【００７３】
イベントＡ６：隣接セルがＳＣｅｌｌより良いオフセット量になる。
【００７４】
ＩＥ‘ＲｅｐｏｒｔＣｏｎｆｉｇＩｄ’は、測定報告設定を識別するために用いられる。ＩＥ‘ＭｅａｓＲｅｓｕｌｔｓ’は、周波数内、周波数間およびＲＡＴ間モビリティに関する測定結果をカバーする。ＭｅａｓＲｅｓｕｌｔｓは、ＰＣｅｌｌ、随意的に隣接セルおよびＳＣｅｌｌ（単数または複数）のｍｅａｓＩｄおよび測定結果を含む。
【００７５】
ＵＥおよびｅＮＢは、測定を動作させるために以下の変数（すなわち、ＶａｒＭｅａｓＣｏｎｆｉｇおよびＶａｒＭｅａｓＲｅｐｏｒｔＬｉｓｔ）を保持する。変数は、リスティング（１）に次のように示される。
【数１】
2015536583.tif 000003
2015536583.tif 000004
リスティング（１）
【００７６】
ＵＥ変数‘ＶａｒＭｅａｓＣｏｎｆｉｇ’は、ＵＥによって行われることになる蓄積された測定設定を含み、周波数内、周波数間およびＲＡＴ間モビリティに関する測定をカバーする。ＵＥ変数‘ＶａｒＭｅａｓＲｅｐｏｒｔＬｉｓｔ’は、トリガ条件が満たされた測定に関する情報を含む。それゆえに、３ＧＰＰ  ＴＳ３６．３３１は、本明細書に開示されるシステムおよび方法のいくつかの構成が利用されるコンテキストを提供する。
【００７７】
本明細書に開示されるシステムおよび方法のいくつかの構成に関するさらなる詳細が次のように示される。本明細書に開示されるシステムおよび方法のいくつかの実装は、タイプ２キャリア測定の取り扱いを可能にする。ｅＮＢは、タイプ２キャリアを除くキャリア周波数を測定設定に含める。ＵＥは、タイプ２在圏セルを除く在圏セルごとにＲＳＲＰおよびＲＳＲＱ測定を行う。ＵＥは、ＰＣｅｌｌの数量（例えば、ＲＳＲＰおよびＲＳＲＱ）を含むようにｍｅａｓＲｅｓｕｌｔＰＣｅｌｌをセットする。ＵＥは、もしあれば、設定されたタイプ２ＳＣｅｌｌではないＳＣｅｌｌごとに該当するＳＣｅｌｌの数量をｍｅａｓＲｅｓｕｌｔＳＣｅｌｌ内に含むようにｍｅａｓＲｅｓｕｌｔＳｅｒｖＦｒｅｑＬｉｓｔをセットする。
【００７８】
リリース１１仕様では、ＵＥがｍｅａｓＣｏｎｆｉｇを有するときはいつでも、ＵＥは、在圏セルごとにＲＳＲＰおよびＲＳＲＱ測定を行う。測定報告手順がトリガされたｍｅａｓＩｄに対して、ＵＥは、ｍｅａｓＲｅｓｕｌｔをＭｅａｓｕｒｅｍｅｎｔＲｅｐｏｒｔメッセージ内に次のようにセットする。ＵＥは、もしあれば、設定されたＳＣｅｌｌごとに該当するＳＣｅｌｌの数量をｍｅａｓＲｅｓｕｌｔＳＣｅｌｌ内に含むようにｍｅａｓＲｅｓｕｌｔＳｅｒｖＦｒｅｑＬｉｓｔをセットする。測定報告に含まれることになる数量は、ＲＳＲＰおよびＲＳＲＱ量である。しかしながら、タイプ２キャリアに関する測定は行うことができず、タイプ２キャリアに関する測定結果は、測定結果に含まれるべきでない。
【００７９】
リリース１２仕様では、ｅＮＢは、タイプ２在圏セルを含む、複数の在圏セルを用いてＵＥを構成する。たとえｅＮＢがタイプ２在圏セルを含む複数の在圏セルを用いてＵＥを構成しても、ｅＮＢは、タイプ２キャリアを除くキャリア周波数を測定設定（ｍｅａｓＣｏｎｆｉｇ）に含める。測定設定は、（例えば、ｅＮＢによって）ＵＥに通知される。ＵＥがｍｅａｓＣｏｎｆｉｇを有するときはいつでも、ＵＥは、タイプ２在圏セルを除く、在圏セルごとにＲＳＲＰおよびＲＳＲＱ測定を行う。いくつかの構成において、在圏セルに関するＲＳＲＰおよびＲＳＲＱ測定は、ＣＲＳに基づく測定である。加えて、または代わりに、ＵＥは、在圏セルごとにチャネル状態情報参照信号（単数または複数）（ＣＳＩ−ＲＳ：ｃｈａｎｎｅｌ  ｓｔａｔｅ  ｉｎｆｏｒｍａｔｉｏｎ  ｒｅｆｅｒｅｎｃｅ  ｓｉｇｎａｌ（単数または複数））に関するＲＳＲＰおよびＲＳＲＱ測定を行うことができる。タイプ１在圏セル、タイプ２在圏セルおよびタイプ３在圏セルは、ＣＳＩ−ＲＳ（単数または複数）を用いて設定される。測定報告手順がトリガされたｍｅａｓＩｄに対して、ＵＥは、ｍｅａｓＲｅｓｕｌｔｓをＭｅａｓｕｒｅｍｅｎｔＲｅｐｏｒｔメッセージ内に次のようにセットする。ＵＥは、ＰＣｅｌｌの数量を含むようにｍｅａｓＲｅｓｕｌｔＰＣｅｌｌをセットする。ＵＥは、もしあれば、設定されたタイプ２ではないＳＣｅｌｌごとに該当するＳＣｅｌｌの数量をｍｅａｓＲｅｓｕｌｔＳＣｅｌｌ内に含むようにｍｅａｓＲｅｓｕｌｔＳｅｒｖＦｒｅｑＬｉｓｔをセットする。ＵＥは、たとえＳＣｅｌｌがタイプ２であっても、ＳＣｅｌｌごとに該当するＳＣｅｌｌのＣＳＩ−ＲＳ（単数または複数）の数量をｍｅａｓＲｅｓｕｌｔＳＣｅｌｌ内に含むようにｍｅａｓＲｅｓｕｌｔＳｅｒｖＦｒｅｑＬｉｓｔをセットする。本明細書に開示されるシステムおよび方法の１つの利益は、ＵＥおよびｅＮＢが追加のキャリアタイプを効率的に取り扱いうることである。
【００８０】
本明細書に開示されるシステムおよび方法のいくつかの実装は、タイプ２キャリア参照の取り扱いを可能にする。特に、参照セルは、タイプ２ＳＣｅｌｌのために次のように設定される。ｅＮＢは、タイプ２ＳＣｅｌｌおよびタイプ２ＳＣｅｌｌに対応する参照セルを用いてＵＥを構成する。ＵＥは、タイプ２ＳＣｅｌｌのための参照セルのＣＲＳ、ＰＳＳおよびＳＳＳのうちの１つ以上を用いることができる。
【００８１】
第１のアプローチでは、タイプ２ＳＣｅｌｌを用いて構成されたＵＥは、タイプ２ＳＣｅｌｌの上りリンクのためのパスロス参照として、タイプ２ＳＣｅｌｌに対応する参照セルを用いる。第２のアプローチでは、タイプ２ＳＣｅｌｌを用いて構成されたＵＥに関して、タイプ２ＳＣｅｌｌの上りリンクのためのパスロス参照として、ＰＣｅｌｌまたはＳＣｅｌｌが設定される。タイプ２ＳＣｅｌｌの上りリンクのためのパスロス参照としてＳＣｅｌｌが設定される場合、ＵＥは、パスロス参照として、タイプ２ＳＣｅｌｌの参照セルを用いる。ＰＣｅｌｌがタイプ２ＳＣｅｌｌの上りリンクのためのパスロス参照として設定される場合、ＵＥは、パスロス参照として、タイプ２ＳＣｅｌｌのＰＣｅｌｌを用いる。第３のアプローチでは、タイプ２ＳＣｅｌｌを用いて構成されたＵＥに関して、タイプ２ＳＣｅｌｌの上りリンクのためのパスロス参照として、ＰＣｅｌｌ、またはタイプ２ＳＣｅｌｌと対応する参照セルが設定される。
【００８２】
いくつかの実装では、タイプ２ＳＣｅｌｌのための参照セルは、ＰＣｅｌｌである。このケースでは、ｅＮＢは、タイプ２ＳＣｅｌｌ（単数または複数）を用いてＵＥを構成する。そのうえ、ＵＥは、タイプ２ＳＣｅｌｌ（単数または複数）のためにＰＣｅｌｌのＣＲＳ、ＰＳＳ、ＳＳＳおよびパスロスのうちの１つ以上を用いることができる。
【００８３】
リリース１１仕様では、タイプ１在圏セル中にＣＲＳ、ＰＳＳ、ＳＳＳが存在する。それゆえに、タイプ１またはタイプ３在圏セルのための参照セルを有する必要はない。在圏セルの上りリンクのためのパスロス参照は、ＵＥ固有のＲＲＣ専用シグナリングによって指定される。ＵＥが、パスロス参照として、この上りリンクと対応するＰＣｅｌｌまたはＳＣｅｌｌの下りリンクのいずれかを適用すべきであるかどうかをｐａｔｈｌｏｓｓＲｅｆｅｒｅｎｃｅＬｉｎｋｉｎｇは指示する。セカンダリＴＡＧのＳＣｅｌｌ部分では、Ｅ−ＵＴＲＡＮは、数値をｓＣｅｌｌ（例えば、この上りリンクと対応するＳＣｅｌｌの下りリンク）にセットする。しかしながら、タイプ２キャリアは、ＣＲＳを有さないのでパスロス参照ではありえない。リスティング（２）は、ｐａｔｈｌｏｓｓＲｅｆｅｒｅｎｃｅＬｉｎｋｉｎｇの一例を次のように示す。
【００８４】
【数２】
2015536583.tif 000005
リスティング（２）
【００８５】
タイプ２ＳＣｅｌｌのための参照セルがどのように設定されるかに関するさらなる詳細は、次の通りである。リリース１２仕様では、ｅＮＢは、タイプ２在圏セルを含む、複数の在圏セルを用いてＵＥを構成する。ｅＮＢがタイプ２ＳＣｅｌｌを用いてＵＥを構成するとき、ｅＮＢは、タイプ２ＳＣｅｌｌに対する在圏セル・インデックスも用いてＵＥを構成する。この在圏セル・インデックスに対応する在圏セルをタイプ２ＳＣｅｌｌのための参照セルとして用いることができる。参照セルのＣＲＳ、ＰＳＳおよびＳＳＳの１つ以上がタイプ２ＳＣｅｌｌによって参照される。タイプ１またはタイプ３在圏セルは、参照セルでありうるが、タイプ２セルはありえない。ＵＥが、参照セルに対する在圏セル・インデックスを含む、タイプ２ＳＣｅｌｌ設定を受信したとき、ＵＥは、タイプ２ＳＣｅｌｌのための参照セルのＣＲＳ、ＰＳＳ、ＳＳＳのうちの１つ以上を用いることができる。
【００８６】
タイプ２ＳＣｅｌｌの上りリンクのためのパスロス参照に関しては、本明細書に開示されるシステムおよび方法に従って１つ以上のアプローチが適用される。第１のアプローチでは、タイプ２ＳＣｅｌｌを用いて構成されたＵＥは、タイプ２ＳＣｅｌｌの上りリンクのためのパスロス参照として、タイプ２ＳＣｅｌｌと対応する参照セルを用いる。第２のアプローチでは、タイプ２ＳＣｅｌｌを用いて構成されたＵＥに関して、タイプ２ＳＣｅｌｌの上りリンクのためのパスロス参照として、ＰＣｅｌｌまたはＳＣｅｌｌが設定される。タイプ２ＳＣｅｌｌの上りリンクのためのパスロス参照としてＳＣｅｌｌが設定される場合、ＵＥは、パスロス参照として、タイプ２ＳＣｅｌｌの参照セルを用いる。ＰＣｅｌｌがタイプ２ＳＣｅｌｌの上りリンクのためのパスロス参照として設定される場合、ＵＥは、パスロス参照として、タイプ２ＳＣｅｌｌのＰＣｅｌｌを用いる。第３のアプローチでは、タイプ２ＳＣｅｌｌを用いて構成されたＵＥに関して、タイプ２ＳＣｅｌｌの上りリンクのためのパスロス参照として、ＰＣｅｌｌ、またはタイプ２ＳＣｅｌｌと対応する参照セルが設定される。
【００８７】
ｐａｔｈｌｏｓｓＲｅｆｅｒｅｎｃｅＬｉｎｋｉｎｇ−ｒ１０は、ＵＥが、パスロス参照として、この上りリンクと対応するＰＣｅｌｌまたはタイプ１ＳＣｅｌｌの下りリンクのいずれかを適用するかどうかを指示する。セカンダリＴＡＧのタイプ１ＳＣｅｌｌ部分では、Ｅ−ＵＴＲＡＮは、数値をｓＣｅｌｌ（例えば、この上りリンクと対応するＳＣｅｌｌの下りリンク）にセットする。
【００８８】
第１のアプローチでは、ｐａｔｈｌｏｓｓＲｅｆｅｒｅｎｃｅＬｉｎｋｉｎｇ−ｒ１０がＵＥへシグナリングされなくても、ＵＥによって無視されてもよい。タイプ２ＳＣｅｌｌを用いて構成されたＵＥは、タイプ２ＳＣｅｌｌの上りリンクのためのパスロス参照として、タイプ２ＳＣｅｌｌと対応する参照セルを用いる。
【００８９】
第２のアプローチでは、ｐａｔｈｌｏｓｓＲｅｆｅｒｅｎｃｅＬｉｎｋｉｎｇ−ｒ１０がＵＥへシグナリングされる。タイプ２ＳＣｅｌｌの上りリンクのためのパスロス参照としてＳＣｅｌｌが指示される場合、ＵＥは、パスロス参照として、タイプ２ＳＣｅｌｌの参照セルを用いる。タイプ２ＳＣｅｌｌの上りリンクのためのパスロス参照としてＰＣｅｌｌが指示される場合、ＵＥは、パスロス参照として、タイプ２ＳＣｅｌｌのＰＣｅｌｌを用いる。
【００９０】
第３のアプローチでは、ｐａｔｈｌｏｓｓＲｅｆｅｒｅｎｃｅＬｉｎｋｉｎｇ−ｒ１１がＵＥへシグナリングされる。ｐａｔｈｌｏｓｓＲｅｒｅｆｅｎｃｅＬｉｎｋｉｎｇ−ｒ１１は、ＵＥが、パスロス参照として、この上りリンクと対応するＰＣｅｌｌまたはタイプ２ＳＣｅｌｌの参照セルの下りリンクのいずれかを適用するかどうかを指示する。
【００９１】
いくつかの実装では、タイプ２ＳＣｅｌｌのための参照セルは、ＰＣｅｌｌである。リリース１２では、ｅＮＢは、タイプ２在圏セルを含む、複数の在圏セルを用いてＵＥを構成する。ｅＮＢがタイプ２ＳＣｅｌｌを用いてＵＥを構成するとき、ｅＮＢは、ＵＥが、タイプ２ＳＣｅｌｌのための参照セルとして、ＰＣｅｌｌを用いると仮定する。そのうえ、ＵＥは、タイプ２ＳＣｅｌｌのための参照セルのＣＲＳ、ＰＳＳ、ＳＳＳおよびパスロスのうちの１つ以上を用いることができる。本明細書に開示されるシステムおよび方法の１つの利益は、ＵＥおよびｅＮＢが追加のキャリアタイプを効率的に取り扱いうることである。
【００９２】
次に図面を参照して本明細書に開示されるシステムおよび方法の様々な例が記載される。図面中、同様の参照番号は、機能的に類似した要素を指示する。本明細書において図面に一般的に記載され、説明されるシステムおよび方法は、多種多様に異なった実装に配置し、かつ設計することができるであろう。従って、図面に表現されるいくつかの実装の以下のさらに詳細な記載は、特許請求の範囲を限定するものではなく、システムおよび方法を単に代表するに過ぎない。
【００９３】
図１は、タイプ２キャリアを取り扱うためのシステムおよび方法が実装された１つ以上のｅＮＢ１６０および１つ以上のＵＥ１０２の一構成を示すブロック図である。１つ以上のＵＥ１０２は、１つ以上のアンテナ１２２ａ〜ｎを用いて１つ以上のｅＮＢ１６０と通信する。例えば、ＵＥ１０２は、１つ以上のアンテナ１２２ａ〜ｎを用いてｅＮＢ１６０へ電磁信号を送信し、ｅＮＢ１６０から電磁信号を受信する。ｅＮＢ１６０は、１つ以上のアンテナ１８０ａ〜ｎを用いてＵＥ１０２と通信する。
【００９４】
ＵＥ１０２およびｅＮＢ１６０は、相互に通信するために複数のキャリア１１９を用いる。キャリア１１９のそれぞれは、下りリンク情報を（例えば、ｅＮＢ１６０からＵＥ１０２へ）送信するため、上りリンク情報を（例えば、ＵＥ１０２からｅＮＢ１６０へ）送信するため、またはその両方に利用される。とりわけ、各キャリア１１９は、通信に割り当てられた周波数バンドである。いくつかの構成では、ｅＮＢ１６０とＵＥ１０２との間の通信バンド幅を拡大するために複数のキャリア１１９がアグリゲートまたはグループ分けされる。キャリア１１９のそれぞれがセルに対応する。例えば、１つ以上のキャリア１１９に各在圏セルが設けられる。在圏セルのそれぞれは、上記のようにＰＣｅｌｌまたはＳＣｅｌｌである。
【００９５】
キャリア１１９のそれぞれは、特定のキャリアタイプを有する。例えば、キャリア１１９のそれぞれは、上記のようなタイプ１キャリア、タイプ２キャリアまたはタイプ３キャリアである。特に、タイプ２キャリアは、ＣＲＳ、ＰＳＳもＳＳＳも有さない。しかしながら、タイプ１キャリアは、ＣＲＳ、ＰＳＳおよびＳＳＳのうちの１つ以上を有する。そのうえ、タイプ２キャリアをもつＳＣｅｌｌは、上記の通りタイプ２ＳＣｅｌｌと呼ばれる。
【００９６】
留意すべきは、ＵＥ１０２が１つ以上の上りリンク・チャネルを用いてｅＮＢ１６０へ情報またはデータを送信することである。上りリンク・チャネルの例は、物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）および物理上りリンク共有チャネル（ＰＵＣＳＨ：ｐｈｙｓｉｃａｌ  Ｕｐｌｉｎｋ  ＳＨＡＲＥＤ  Ｃｈａｎｎｅｌ）などを含む。そのうえ、１つ以上のｅＮＢ１６０も、例として１つ以上の下りリンク・チャネルを用いて、１つ以上のＵＥ１０２へ情報またはデータを送信する。下りリンク・チャネルの例は、ＰＤＣＣＨ、ＰＤＳＣＨなどを含む。他の種類のチャネルが用いられてもよい。
【００９７】
１つ以上のＵＥ１０２のそれぞれは、１つ以上のトランシーバ１１８、１つ以上の復調器１１４、１つ以上のデコーダ１０８、１つ以上のエンコーダ１５０、１つ以上の変調器１５４、データバッファ１０４およびＵＥオペレーション・モジュール１２４を含む。例えば、１つ以上の受信および／または送信経路がＵＥ１０２に実装される。便宜上、ＵＥ１０２では単一のトランシーバ１１８、デコーダ１０８、復調器１１４、エンコーダ１５０および変調器１５４のみが示されるが、複数の並列要素（例えば、トランシーバ１１８、デコーダ１０８、復調器１１４、エンコーダ１５０および変調器１５４）が実装されてもよい。
【００９８】
トランシーバ１１８は、１つ以上の受信機１２０および１つ以上の送信機１５８を含む。１つ以上の受信機１２０は、１つ以上のアンテナ１２２ａ〜ｎを用いてｅＮＢ１６０から信号を受信する。例えば、受信機１２０は、１つ以上の受信信号１１６を作り出すために、信号を受信してダウンコンバートする。１つ以上の受信信号１１６は、復調器１１４へ供給される。１つ以上の送信機１５８は、１つ以上のアンテナ１２２ａ〜ｎを用いてｅＮＢ１６０へ信号を送信する。例えば、１つ以上の送信機１５８は、１つ以上の変調信号１５６をアップコンバートして送信する。
【００９９】
復調器１１４は、１つ以上の復調信号１１２を作り出すために１つ以上の受信信号１１６を復調する。１つ以上の復調信号１１２は、デコーダ１０８へ供給される。ＵＥ１０２は、信号を復号するためにデコーダ１０８を用いる。デコーダ１０８は、１つ以上の復号信号１０６、１１０を作り出す。例えば、第１のＵＥ複合信号１０６は、受信したペイロード・データを備え、このデータがデータバッファ１０４に記憶される。第２のＵＥ復号信号１１０は、オーバーヘッド・データおよび／または制御データを備える。例えば、第２のＵＥ復号信号１１０は、１つ以上のオペレーションを行うためにＵＥオペレーション・モジュール１２４によって用いられるデータを供給する。
【０１００】
本明細書では、用語「モジュール」は、特定の要素またはコンポーネントがハードウェア、ソフトウェアまたはハードウェアとソフトウェアとの組み合わせで実装されることを意味する。しかしながら、本明細書に「モジュール」として示される任意の要素は、代わりにハードウェア（例えば、回路素子）で実装されてもよいことに留意すべきである。例えば、ＵＥオペレーション・モジュール１２４は、ハードウェア、ソフトウェアまたは両方の組み合わせで実装されてもよい。
【０１０１】
一般に、ＵＥオペレーション・モジュール１２４は、ＵＥ１０２が１つ以上のｅＮＢ１６０と通信することを可能にする。ＵＥオペレーション・モジュール１２４は、マルチセル構成適用モジュール１２６、測定モジュール１２８、測定結果リスト生成モジュール１３０、ＵＥ参照セル確定モジュール１３２およびＵＥパスロス参照確定モジュール１３４のうちの１つ以上を含む。
【０１０２】
マルチセル構成適用モジュール１２６は、少なくとも１つのタイプ２ＳＣｅｌｌを含む１つ以上の在圏セルを用いた構成を適用する。例えば、ＵＥ１０２は、複数の在圏セルの構成を指示する構成メッセージをｅＮＢ１６０から受信する。いくつかの実装では、マルチセル構成適用モジュール１２６は、通信のための特定のキャリアを指定して、指定されたキャリア上で送信および／または受信を可能にするために、ＵＥ構成（例えば、ハードウェアおよび／またはソフトウェア設定）を更新することによってこの構成を適用する。在圏セルのうちの少なくとも１つは、タイプ２ＳＣｅｌｌである。特に、タイプ２ＳＣｅｌｌは、タイプ２キャリアを有する。
【０１０３】
測定モジュール１２８は、少なくとも１つのタイプ２ＳＣｅｌｌを除く１つ以上の在圏セルのそれぞれに関する測定結果を取得する。例えば、測定モジュール１２８は、タイプ２ＳＣｅｌｌを除く、在圏セルごとにＲＳＲＰおよびＲＳＲＱ測定を行う。例として、２つの在圏セルがあって一方がタイプ１在圏セルであり、他方がタイプ２在圏セルである場合、測定は、タイプ１在圏セルに関してのみ行われる。いくつかの実装では、測定結果を取得するステップは、上記に従う測定設定（例えば、ｍｅａｓＣｏｎｆｉｇ）によりトリガされる。例として、ＵＥ１０２は、少なくとも１つのタイプ２ＳＣｅｌｌを除く、１つ以上の在圏セルに関する測定を行うようにＵＥ１０２を導くｍｅａｓＣｏｎｆｉｇをｅＮＢ１６０から受信する。測定モジュール１２８は、次に、少なくとも１つのタイプ２ＳＣｅｌｌを除く、在圏セルのそれぞれに対応するＲＳＲＰおよびＲＳＲＱ測定結果を取得する。本明細書に開示されるシステムおよび方法のいくつかの実装は、測定に関する上記の手順に従って行われる。
【０１０４】
測定結果リスト生成モジュール１３０は、測定結果リストを生成する。測定結果リスト生成モジュール１３０は、また、少なくとも１つのタイプ２ＳＣｅｌｌを除く１つ以上の在圏セルのそれぞれに関する測定結果を含むように測定結果リストをセットする。例として、測定結果リスト生成モジュール１３０は、少なくとも１つのタイプ２ＳＣｅｌｌを除く、１つ以上の在圏セルのそれぞれに対応するＲＳＲＰおよびＲＳＲＱ測定結果を測定結果リストに含める。いくつかの例では、測定結果リストは、上記のようなｍｅａｓＲｅｓｕｌｔＰＣｅｌｌおよびｍｅａｓＲｅｓｕｌｔＳｅｒｖＦｒｅｑＬｉｓｔである。そのうえ、測定結果リスト生成モジュール１３０は、ＰＣｅｌｌに対応するＲＳＲＰおよびＲＳＰＱ測定量（例えば、ｍｅａｓＲｅｓｕｌｔ）をｍｅａｓＲｅｓｕｌｔＰＣｅｌｌに含める。測定結果リスト生成モジュール１３０は、任意のタイプ２ＳＣｅｌｌ（単数または複数）を除く、任意の設定されたＳＣｅｌｌに対応するＲＳＲＰおよびＲＳＲＱ測定量（例えば、ｍｅａｓＲｅｓｕｌｔ）を上記のようにｍｅａｓＲｅｓｕｌｔＳｅｒｖＦｒｅｑＬｉｓｔにおけるｍｅａｓＲｅｓｕｌｔＳＣｅｌｌに含める。
【０１０５】
ＵＥ１０２は、測定結果リストを送信する。例えば、ＵＥ１０２は、測定結果リストを上りリンク・メッセージでｅＮＢ１６０へ送信する。例えば、ＵＥ１０２は、ＰＣｅｌｌのＲＳＲＰおよびＲＳＲＱ測定量を含むｍｅａｓＲｅｓｕｌｔＰＣｅｌｌ、ならびに少なくとも１つのタイプ２ＳＣｅｌｌを除く、ＳＣｅｌｌごとのＲＳＲＰおよびＲＳＲＱ測定結果量を含むｍｅａｓＲｅｓｕｌｔＳｅｒｖＦｒｅｑＬｉｓｔを送信する。いくつかの実装では、ｍｅａｓＲｅｓｕｌｔＰＣｅｌｌおよびｍｅａｓＲｅｓｕｌｔＳｅｒｖＦｒｅｑＬｉｓｔがＭｅａｓｕｒｅｍｅｎｔＲｅｐｏｒｔメッセージに含まれる。
【０１０６】
ＵＥ参照セル確定モジュール１３２は、少なくとも１つのタイプ２ＳＣｅｌｌに対応する参照セルを確定する。例えば、少なくとも１つのタイプ２ＳＣｅｌｌに対応する参照セルを確定するステップは、（例として、ｅＮＢ１６０から）参照セル・インジケータを受信することを含む。より具体的には、参照セル・インジケータは、タイプ２ＳＣｅｌｌのための特定の参照セルを指示する。いくつかの実装では、参照セルは、参照セル・インジケータ（例えば、セル・インデックス番号）によって指定される。例えば、ＵＥ１０２は、タイプ２在圏セルを含む複数の在圏セルを用いて構成される。ＵＥ１０２が（例えば、ｅＮＢ１６０メッセージングに基づいて）タイプ２ＳＣｅｌｌを用いて構成されるとき、ＵＥ１０２は、タイプ２ＳＣｅｌｌに対する在圏セル・インデックスも用いて構成される。在圏セル・インデックスに対応する在圏セルは、ＵＥ参照セル確定モジュール１３２により少なくとも１つのタイプ２ＳＣｅｌｌに対応する参照セルとして確定される。
【０１０７】
ＵＥパスロス参照確定モジュール１３４は、少なくとも１つのタイプ２ＳＣｅｌｌの上りリンクのためのパスロス参照を確定する。例えば、ＵＥパスロス参照確定モジュール１３４は、上記のアプローチの１つ以上に従ってパスロス参照を確定する。第１のアプローチでは、ＵＥパスロス参照確定モジュール１３４は、少なくとも１つのタイプ２ＳＣｅｌｌに対応する参照セルとしてパスロス参照を確定する。第２のアプローチでは、ＵＥパスロス参照確定モジュール１３４は、ＰＣｅｌｌとＳＣｅｌｌとの間でパスロス参照を確定する。第３のアプローチでは、ＵＥパスロス参照確定モジュール１３４は、ＰＣｅｌｌと少なくとも１つのタイプ２ＳＣｅｌｌに対応する参照セルとの間でパスロス参照を確定する。いくつかの実装では、パスロス参照を確定するステップは、（例えば、ｅＮＢ１６０から）受信したパスロス参照インジケータに基づく。さらなる詳細が以下に示される。
【０１０８】
ＵＥ１０２は、少なくとも１つのタイプ２ＳＣｅｌｌのための参照セルのＣＲＳ、ＰＳＳおよびＳＳＳのうちの少なくとも１つを利用する（ステップ３０６）。さらなる詳細が以下に示される。加えて、または代わりに、ＵＥ１０２は、少なくとも１つのタイプ２ＳＣｅｌｌのためのパスロス参照に対応するパスロスを利用する。上記のように、パスロス参照は、参照セルであってもなくてもよい。さらなる詳細が以下に示される。
【０１０９】
ＵＥオペレーション・モジュール１２４は、情報１４８を受信機１２０に提供する。例えば、ＵＥオペレーション・モジュール１２４は、信号を受信するための１つ以上のキャリア１１９を受信機（単数または複数）１２０に通知する。
【０１１０】
ＵＥオペレーション・モジュール１２４は、情報１３８を復調器１１４に提供する。例えば、ＵＥオペレーション・モジュール１２４は、ｅＮＢ１６０からの送信に予想される変調パターンを復調器１１４に通知する。
【０１１１】
ＵＥオペレーション・モジュール１２４は、情報１３６をデコーダ１０８に提供する。例えば、ＵＥオペレーション・モジュール１２４は、ｅＮＢ１６０からの送信に予想される符号化法をデコーダ１０８に通知する。
【０１１２】
ＵＥオペレーション・モジュール１２４は、情報１４２をエンコーダ１５０に提供する。情報１４２は、符号化すべきデータおよび／または符号化のための命令を含む。例えば、ＵＥオペレーション・モジュール１２４は、送信データ１４６および／または他の情報１４２を符号化するようにエンコーダ１５０に命令する。他の情報１４２は、本明細書に記載されるような測定結果リストを含む。
【０１１３】
エンコーダ１５０は、送信データ１４６および／またはＵＥオペレーション・モジュール１２４によって提供された他の情報１４２を符号化する。例えば、データ１４６および／または他の情報１４２の符号化は、誤り検出および／または訂正符号化、送信のための空間、時間および／または周波数リソースへのデータのマッピング、多重化などを伴う。エンコーダ１５０は、符号化データ１５２を変調器１５４へ供給する。
【０１１４】
ＵＥオペレーション・モジュール１２４は、情報１４４を変調器１５４に提供する。例えば、ＵＥオペレーション・モジュール１２４は、ｅＮＢ１６０への送信に用いることになる変調型（例えば、コンステレーション・マッピング）を変調器１５４に通知する。変調器１５４は、１つ以上の変調信号１５６を１つ以上の送信機１５８へ供給するために符号化データ１５２を変調する。
【０１１５】
ＵＥオペレーション・モジュール１２４は、情報１４０を１つ以上の送信機１５８に提供する。この情報１４０は、１つ以上の送信機１５８に対する命令を含む。例えば、ＵＥオペレーション・モジュール１２４は、特定のキャリア１１９上で送信するように１つ以上の送信機１５８に命令する。１つ以上の送信機１５８は、１つ以上のｅＮＢ１６０へ変調信号（単数または複数）１５６をアップコンバートして送信する。
【０１１６】
ｅＮＢ１６０は、１つ以上のトランシーバ１７６、１つ以上の復調器１７２、１つ以上のデコーダ１６６、１つ以上のエンコーダ１０９、１つ以上の変調器１１３、データバッファ１６２およびｅＮＢオペレーション・モジュール１８２を含む。例えば、ｅＮＢ１６０では１つ以上の受信および／または送信経路が実装される。便宜上、ｅＮＢ１６０では単一のトランシーバ１７６、デコーダ１６６、復調器１７２、エンコーダ１０９および変調器１１３のみが示されるが、複数の並列要素（例えば、トランシーバ１７６、デコーダ１６６、復調器１７２、エンコーダ１０９および変調器１１３）が実装されてもよい。
【０１１７】
トランシーバ１７６は、１つ以上の受信機１７８および１つ以上の送信機１１７を含む。１つ以上の受信機１７８は、１つ以上のアンテナ１８０ａ〜ｎを用いてＵＥ１０２から信号を受信する。例えば、受信機１７８は、１つ以上の受信信号１７４を作り出すために信号を受信してダウンコンバートする。１つ以上の受信信号１７４は、復調器１７２へ供給される。１つ以上の送信機１１７は、１つ以上のアンテナ１８０ａ〜ｎを用いて信号をＵＥ１０２へ送信する。例えば、１つ以上の送信機１１７は、１つ以上の変調信号１１５をアップコンバートして送信する。
【０１１８】
復調器１７２は、１つ以上の復調信号１７０を作り出すために１つ以上の受信信号１７４を復調する。１つ以上の復調信号１７０は、デコーダ１６６へ供給される。ｅＮＢ１６０は、信号を復号するためにデコーダ１６６を用いる。デコーダ１６６は、１つ以上の復号信号１６４、１６８を作り出す。例えば、第１のｅＮＢ復号信号１６４は、データバッファ１６２に記憶される受信したペイロード・データを備える。第２のｅＮＢ復号信号１６８は、オーバーヘッド・データおよび／または制御データを備える。例えば、第２のｅＮＢ復号信号１６８は、１つ以上のオペレーションを行うためにｅＮＢオペレーション・モジュール１８２によって用いられるデータを供給する。
【０１１９】
一般に、ｅＮＢオペレーション・モジュール１８２は、ｅＮＢ１６０が１つ以上のＵＥ１０２と通信することを可能にする。ｅＮＢオペレーション・モジュール１８２は、マルチセル構成確定モジュール１９４、構成メッセージ生成モジュール１９６、測定結果リスト適用モジュール１９８、ｅＮＢ参照セル確定モジュール１５１、参照セル・インジケータ生成モジュール１５３およびｅＮＢパスロス参照確定モジュール１０７のうちの１つ以上を含む。
【０１２０】
マルチセル構成確定モジュール１９４は、少なくとも１つのタイプ２ＳＣｅｌｌを含む１つ以上の在圏セルを用いた構成を確定する。例えば、ｅＮＢ１６０は、ＵＥ１０２が複数のキャリア１１９上で通信するための構成を生成し、複数のキャリア１１９の少なくとも１つは、ＳＣｅｌｌに設けられたタイプ２キャリアである。
【０１２１】
構成メッセージ生成モジュール１９６は、マルチセル構成確定モジュール１９４によって確定された構成を指示する構成メッセージを生成する。ｅＮＢ１６０は、構成メッセージを送信する。このように、ｅＮＢ１６０は、少なくとも１つのタイプ２ＳＣｅｌｌを含む１つ以上の在圏セルを用いた構成を指示する構成メッセージを生成して送信する。
【０１２２】
いくつかの実装では、ｅＮＢ１６０は、ｍｅａｓＣｏｎｆｉｇを生成して送信する。例えば、ｍｅａｓＣｏｎｆｉｇは、‘ＲＲＣＣｏｎｎｅｃｔｉｏｎＲｅｃｏｎｆｉｇｕｒａｔｉｏｎ’メッセージで送信される。ｍｅａｓＣｏｎｆｉｇは、タイプ２ＳＣｅｌｌではない１つ以上の在圏セルに関する測定結果（例えば、ＲＳＲＰおよびＲＳＲＱ）を取得するようにＵＥ１０２を導く。
【０１２３】
ｅＮＢ１６０は、少なくとも１つのタイプ２ＳＣｅｌｌを除く１つ以上の在圏セルのそれぞれに関する測定結果を含んだ測定結果リストを受信する。例えば、ｅＮＢ１６０は、ｍｅａｓＲｅｓｕｌｔＰＣｅｌｌと、１つ以上の在圏セルのＲＳＲＰおよびＲＳＲＱ量を含むがタイプ２ＳＣｅｌｌに関する測定結果は何も含まないｍｅａｓＲｅｓｕｌｔＳｅｒｖＦｒｅｑＬｉｓｔとを含むＭｅａｓｕｒｅｍｅｎｔＲｅｐｏｒｔメッセージを受信する。いくつかの実装では、ｅＮＢ１６０は、測定結果リスト（例えば、ｍｅａｓＲｅｓｕｌｔＰＣｅｌｌ、ｍｅａｓＲｅｓｕｌｔＳｅｒｖＦｒｅｑＬｉｓｔ）をＭｅａｓｕｒｅｍｅｎｔＲｅｐｏｒｔメッセージ内のｍｅａｓＲｅｓｕｌｔｓとして受信する。
【０１２４】
ｅＮＢ参照セル確定モジュール１５１は、少なくとも１つのタイプ２ＳＣｅｌｌに対応する参照セルを確定する。例えば、ｅＮＢ参照セル確定モジュール１５１は、参照セルとして、ＵＥ１０２との通信のために設定された在圏セルを選択する。参照セルは、ＵＥ１０２により少なくとも１つのタイプ２ＳＣｅｌｌに関係するオペレーションのために利用される。例えば、参照セルは、ＣＲＳ、ＰＳＳおよびＳＳＳのうちの１つ以上を含み、ＵＥ１０２は、タイプ２ＳＣｅｌｌに関係する１つ以上のオペレーションのためにこれらを利用できる。
【０１２５】
参照セル・インジケータ生成モジュール１５３は、参照セル・インジケータを生成する。ｅＮＢ１６０は、参照セル・インジケータを送信する。例えば、ｅＮＢ１６０は、参照セルを指示する参照セル・インジケータを生成してＵＥ１０２へ送信する。より具体的には、参照セル・インジケータは、タイプ２ＳＣｅｌｌのための特定の参照セルを指示する。いくつかの実装では、参照セル・インジケータは、セル・インデックス番号である。例えば、ｅＮＢ１６０は、タイプ２在圏セルを含む複数の在圏セルを用いてＵＥ１０２を構成する。ｅＮＢ１６０が（例えば、ｅＮＢ１６０メッセージングに基づいて）タイプ２ＳＣｅｌｌを用いてＵＥ１０２を構成するとき、ｅＮＢ１６０は、タイプ２ＳＣｅｌｌに対する在圏セル・インデックスも用いてＵＥ１０２を構成する。在圏セル・インデックスに対応する在圏セルは、少なくとも１つのタイプ２ＳＣｅｌｌに対応する参照セルである。
【０１２６】
ｅＮＢパスロス参照確定モジュール１０７は、少なくとも１つのタイプ２ＳＣｅｌｌの上りリンクのためのパスロス参照を随意的に確定する。例えば、ｅＮＢパスロス参照確定モジュール１０７は、上記のアプローチの１つ以上に従ってこのパスロス参照を確定する。第１のアプローチでは、パスロス参照は、少なくとも１つのタイプ２ＳＣｅｌｌに対応する参照セルである。第２のアプローチでは、ｅＮＢ１６０は、ＰＣｅｌｌとＳＣｅｌｌとの間でパスロス参照を選択する。第３のアプローチでは、ｅＮＢ１６０は、ＰＣｅｌｌと少なくとも１つのタイプ２ＳＣｅｌｌに対応する参照セルとの間でパスロス参照を選択する。
【０１２７】
ｅＮＢ１６０は、パスロス参照インジケータを随意的に送信する。第１のアプローチでは、パスロス参照は、参照セルである。このケースでは、ｅＮＢ１６０は、パスロス参照インジケータを送信しなくてよい。しかしながら、ｅＮＢ１６０は、選択されたパスロス参照を指示するパスロス参照インジケータを随意的に送信してもよい。第２のアプローチでは、例えば、ｅＮＢパスロス参照確定モジュール１０７は、ＰＣｅｌｌとＳＣｅｌｌとの間でパスロス参照を選択する。このケースでは、ｅＮＢ１６０は、パスロス参照がＰＣｅｌｌまたはＳＣｅｌｌであるかどうかを指示するパスロス参照インジケータを送信する。第３のアプローチでは、ｅＮＢパスロス参照確定モジュール１０７は、ＰＣｅｌｌと参照セルとの間でパスロス参照を選択する。このケースでは、ｅＮＢ１６０は、パスロス参照がＰＣｅｌｌまたは参照セルであるかどうかを指示するパスロス参照インジケータを送信する。
【０１２８】
ｅＮＢオペレーション・モジュール１８２は、情報１９０を１つ以上の受信機１７８に提供する。例えば、ｅＮＢオペレーション・モジュール１８２は、送信を受信するためのキャリア１１９を受信機（単数または複数）１７８に通知する。
【０１２９】
ｅＮＢオペレーション・モジュール１８２は、情報１８８を復調器１７２に提供する。例えば、ｅＮＢオペレーション・モジュール１８２は、ＵＥ（単数または複数）１０２からの送信に予想される変調パターンを復調器１７２に通知する。
【０１３０】
ｅＮＢオペレーション・モジュール１８２は、情報１８６をデコーダ１６６に提供する。例えば、ｅＮＢオペレーション・モジュール１８２は、ＵＥ（単数または複数）１０２からの送信に予想される符号化法をデコーダ１６６に通知する。
【０１３１】
ｅＮＢオペレーション・モジュール１８２は、情報１０１をエンコーダ１０９に提供する。情報１０１は、符号化すべきデータおよび／または符号化のための命令を含む。例えば、ｅＮＢオペレーション・モジュール１８２は、送信データ１０５および／または他の情報１０１を符号化するようにエンコーダ１０９に命令する。他の情報１０１は、参照セル・インジケータおよびパスロス参照インジケータのうちの１つ以上を含む。
【０１３２】
エンコーダ１０９は、ｅＮＢオペレーション・モジュール１８２によって供給された送信データ１０５および／または他の情報１０１を符号化する。例えば、データ１０５および／または他の情報１０１の符号化は、誤り検出および／または訂正符号化、送信のための空間、時間および／または周波数リソースへのデータのマッピング、多重化などを伴う。エンコーダ１０９は、符号化データ１１１を変調器１１３へ供給する。送信データ１０５は、ＵＥ１０２へ伝えられることになるネットワーク・データを含む。
【０１３３】
ｅＮＢオペレーション・モジュール１８２は、情報１０３を変調器１１３に提供する。この情報１０３は、変調器１１３に対する命令を含む。例えば、ｅＮＢオペレーション・モジュール１８２は、ＵＥ（単数または複数）１０２への送信に用いるための変調型（例えば、コンステレーション・マッピング）を変調器１１３に通知する。変調器１１３は、１つ以上の変調信号１１５を１つ以上の送信機１１７へ供給するために符号化データ１１１を変調する。
【０１３４】
ｅＮＢオペレーション・モジュール１８２は、情報１９２を１つ以上の送信機１１７に提供する。この情報１９２は、１つ以上の送信機１１７に対する命令を含む。例えば、ｅＮＢオペレーション・モジュール１８２は、情報を送信するためのキャリア１１９を１つ以上の送信機１１７に通知する。１つ以上の送信機１１７は、変調信号（単数または複数）１１５を１つ以上のＵＥ１０２へアップコンバートして送信する。
【０１３５】
留意すべきは、ｅＮＢ（単数または複数）１６０およびＵＥ（単数または複数）１０２に含まれる要素またはその部分のうちの１つ以上がハードウェアで実装されてもよいことである。例えば、これらの要素またはその部分の１つ以上は、チップ、回路素子またはハードウェア・コンポーネントなどとして実装されてもよい。本明細書に記載される機能または方法の１つ以上は、ハードウェアで実装されてもよく、および／またはハードウェアを用いて行われてもよいことにも留意すべきである。例えば、本明細書に記載される方法の１つ以上は、チップセット、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、大規模集積回路（ＬＳＩ：ｌａｒｇｅ−ｓｃａｌｅ  ｉｎｔｅｇｒａｔｅｄ  ｃｉｒｃｕｉｔ）または集積回路などで実装されてもよく、および／またはそれらを用いて実現されてもよい。
【０１３６】
図２は、タイプ２キャリアを取り扱うための方法２００の一構成を示すフロー図である。ＵＥ１０２は、少なくとも１つのタイプ２ＳＣｅｌｌを含む１つ以上の在圏セルを用いた構成を適用する（ステップ２０２）。例えば、ＵＥ１０２は、複数の在圏セルの構成を指示する構成メッセージをｅＮＢ１６０から受信する。いくつかの実装では、ＵＥ１０２は、通信のための特定のキャリアを指定して、指定されたキャリア上での送信および／または受信を可能にするためにＵＥ設定（例えば、ハードウェアおよび／またはソフトウェア設定）を更新することによってこの構成を適用する（ステップ２０２）。在圏セルの少なくとも１つは、タイプ２ＳＣｅｌｌである。特に、タイプ２ＳＣｅｌｌは、タイプ２キャリアを有する。
【０１３７】
ＵＥ１０２は、少なくとも１つのタイプ２ＳＣｅｌｌを除く１つ以上の在圏セルのそれぞれに関する測定結果を取得する（ステップ２０４）。例えば、ＵＥ１０２は、タイプ２ＳＣｅｌｌを除く、在圏セルごとにＲＳＲＰおよびＲＳＲＱ測定を行う。いくつかの実装では、測定結果を取得するステップ２０４は、上記に従う測定設定（例えば、ｍｅａｓＣｏｎｆｉｇ）によりトリガされる。例として、ＵＥ１０２は、少なくとも１つのタイプ２ＳＣｅｌｌを除く、１つ以上の在圏セルに関する測定を行うようにＵＥ１０２を導くｍｅａｓＣｏｎｆｉｇをｅＮＢ１６０から受信する。ＵＥ１０２は、次に、少なくとも１つのタイプ２ＳＣｅｌｌを除く、在圏セルのそれぞれに対応するＲＳＲＰおよびＲＳＲＱ測定結果を取得する。本明細書に開示されるシステムおよび方法のいくつかの実装は、測定に関する上記の手順に従って行われる。
【０１３８】
ＵＥ１０２は、少なくとも１つのタイプ２ＳＣｅｌｌを除く１つ以上の在圏セルのそれぞれに関する測定結果を含むように測定結果リストをセットする（ステップ２０６）。例として、ＵＥ１０２は、少なくとも１つのタイプ２ＳＣｅｌｌを除く、在圏セルの１つ以上に対応するＲＳＲＰおよびＲＳＲＱ測定結果を測定結果リストに含める。いくつかの例では、測定結果リストは、上記のようなｍｅａｓＲｅｓｕｌｔＰＣｅｌｌおよびｍｅａｓＲｅｓｕｌｔＳｅｒｖＦｒｅｑＬｉｓｔである。そのうえ、ＵＥ１０２は、ＰＣｅｌｌに対応するＲＳＲＰおよびＲＳＲＱ測定量（例えば、ｍｅａｓＲｅｓｕｌｔ）をｍｅａｓＲｅｓｕｌｔＰＣｅｌｌに含める。ＵＥ１０２は、任意のタイプ２ＳＣｅｌｌ（単数または複数）を除く、任意の設定されたＳＣｅｌｌに対応するＲＳＲＰおよびＲＳＲＱ測定量（例えば、ｍｅａｓＲｅｓｕｌｔ）を上記のようにｍｅａｓＲｅｓｕｌｔＳｅｒｖＦｒｅｑＬｉｓｔにおけるｍｅａｓＲｅｓｕｌｔＳＣｅｌｌに含める。
【０１３９】
ＵＥ１０２は、測定結果リストを送信する（ステップ２０８）。例えば、ＵＥ１０２は、測定結果リストを上りリンク・メッセージでｅＮＢ１６０へ送信する。例として、ＵＥ１０２は、ＰＣｅｌｌのＲＳＲＰおよびＲＳＲＱ測定量を含むｍｅａｓＲｅｓｕｌｔＰＣｅｌｌ、および少なくとも１つのタイプ２ＳＣｅｌｌを除く、在圏セルごとのＲＳＲＰおよびＲＳＲＱ測定量を含むｍｅａｓＲｅｓｕｌｔＳｅｒｖＦｒｅｑＬｉｓｔを送信する。いくつかの実装では、ｍｅａｓＲｅｓｕｌｔＰＣｅｌｌおよびｍｅａｓＲｅｓｕｌｔＳｅｒｖＦｒｅｑＬｉｓｔは、ＭｅａｓｕｒｅｍｅｎｔＲｅｐｏｒｔメッセージに含まれる。
【０１４０】
図３は、タイプ２のキャリアを取り扱うための方法３００の別の構成を示すフロー図である。ＵＥ１０２は、少なくとも１つのタイプ２ＳＣｅｌｌに対応する参照セルを確定する（ステップ３０２）。例えば、少なくとも１つのタイプ２ＳＣｅｌｌに対応する参照セルを確定するステップ３０２は、（例として、ｅＮＢ１６０から）参照セル・インジケータを受信することを含む。より具体的には、参照セル・インジケータは、タイプ２ＳＣｅｌｌのための特定の参照セルを指示する。いくつかの実装では、参照セルは、参照セル・インジケータ（例えば、セル・インデックス番号）によって指定される。例えば、ＵＥ１０２は、タイプ２在圏セルを含む複数の在圏セルを用いて構成される。ＵＥ１０２が（例えば、ｅＮＢ１６０メッセージングに基づいて）タイプ２ＳＣｅｌｌを用いて構成されるとき、ＵＥ１０２は、タイプ２ＳＣｅｌｌに対する在圏セル・インデックスも用いて構成される。在圏セル・インデックスに対応する在圏セルは、少なくとも１つのタイプ２ＳＣｅｌｌに対応する参照セルとして確定される（ステップ３０２）。
【０１４１】
ＵＥ１０２は、少なくとも１つのタイプ２ＳＣｅｌｌの上りリンクのためのパスロス参照を確定する（ステップ３０４）。例えば、ＵＥ１０２は、上記のアプローチの１つ以上に従ってパスロス参照を確定する（ステップ３０４）。第１のアプローチでは、ＵＥ１０２は、少なくとも１つのタイプ２ＳＣｅｌｌに対応する参照セルとしてパスロス参照を確定する（ステップ３０４）。第２のアプローチでは、ＵＥ１０２は、ＰＣｅｌｌとＳＣｅｌｌとの間でパスロス参照を確定する（ステップ３０４）。第３のアプローチでは、ＵＥ１０２は、ＰＣｅｌｌと少なくとも１つのタイプ２ＳＣｅｌｌに対応する参照セルとの間でパスロス参照を確定する（ステップ３０４）。いくつかの実装では、パスロス参照を確定するステップ３０４は、（例えば、ｅＮＢ１６０から）受信したパスロス参照インジケータに基づく。さらなる詳細が以下に示される。
【０１４２】
ＵＥ１０２は、少なくとも１つのタイプ２ＳＣｅｌｌのための参照セルのＣＲＳ、ＰＳＳおよびＳＳＳのうちの少なくとも１つを利用する（ステップ３０６）。例えば、ＵＥ１０２は、タイプ２ＳＣｅｌｌを同期させるためにＰＳＳおよびＳＳＳのうちの１つ以上を利用する。
【０１４３】
留意すべきは、加えて、または代わりに、ＵＥ１０２が少なくとも１つのタイプ２ＳＣｅｌｌのためのパスロス参照に対応するパスロスを利用する（ステップ３０８）ことである。上記のように、パスロス参照は、参照セルであってもなくてもよい。
【０１４４】
留意すべきは、図３に関連して記載される方法３００が図２に関連して記載される方法２００とは独立に行われてもよいことである。代わりに、図２に関連して記載される方法２００の１つ以上の態様が図３に関連して記載される方法３００の１つ以上の態様と併せて行われてもよい。
【０１４５】
図４は、タイプ２キャリアを取り扱うための方法４００のより具体的な構成を示すフロー図である。ＵＥ１０２は、少なくとも１つのタイプ２ＳＣｅｌｌに対応する参照セルを確定する（ステップ４０２）。これは、上の図３に関連して記載されるように行われる。
【０１４６】
ＵＥ１０２は、少なくとも１つのタイプ２ＳＣｅｌｌの上りリンクのためのパスロス参照として、少なくとも１つのタイプ２ＳＣｅｌｌに対応する参照セルをセットする（ステップ４０４）。これは、上記の第１のアプローチの一例である。このアプローチでは、ＵＥ１０２は、少なくとも１つのタイプ２ＳＣｅｌｌに対応する参照セルとしてパスロス参照を確定する。
【０１４７】
ＵＥ１０２は、少なくとも１つのタイプ２ＳＣｅｌｌのための参照セルのＣＲＳ、ＰＳＳおよびＳＳＳのうちの少なくとも１つを利用する（ステップ４０６）。これは、上の図３に関連して記載されるように行われる。
【０１４８】
留意すべきは、加えて、または代わりに、ＵＥ１０２が少なくとも１つのタイプ２ＳＣｅｌｌのためのパスロス参照に対応するパスロスを利用する（ステップ４０８）ことである。これは、上の図３に関連して記載されるように行われる。
【０１４９】
図５は、タイプ２キャリアを取り扱うための方法５００の別のより具体的な構成を示すフロー図である。ＵＥ１０２は、少なくとも１つのタイプ２ＳＣｅｌｌに対応する参照セルを確定する（ステップ５０２）。これは、上の図３に関連して記載されるように行われる。
【０１５０】
ＵＥ１０２は、少なくとも１つのタイプ２ＳＣｅｌｌの上りリンクのためのパスロス参照として、ＰＣｅｌｌまたはＳＣｅｌｌをセットすべきかどうかを確定する（ステップ５０４）。例えば、ＵＥ１０２は、パスロス参照として、ＰＣｅｌｌまたはＳＣｅｌｌをセットすべきかどうかを指示するパスロス参照インジケータを受信する。
【０１５１】
ＵＥ１０２は、パスロス参照としてＰＣｅｌｌをセットすることが確定された場合、少なくとも１つのタイプ２ＳＣｅｌｌの上りリンクのためのパスロス参照として、ＰＣｅｌｌをセットする（ステップ５０６）。代わりに、ＵＥ１０２は、パスロス参照としてＳＣｅｌｌをセットすることが確定された場合、少なくとも１つのタイプ２ＳＣｅｌｌの上りリンクのためのパスロス参照として、ＳＣｅｌｌをセットする（ステップ５０８）。これは、上記の第２のアプローチの一例である。
【０１５２】
ＵＥ１０２は、少なくとも１つのタイプ２ＳＣｅｌｌのための参照セルのＣＲＳ、ＰＳＳおよびＳＳＳのうちの少なくとも１つを利用する（ステップ５１０）。これは、上の図３に関連して記載されるように行われる。
【０１５３】
留意すべきは、ＵＥ１０２が少なくとも１つのタイプ２ＳＣｅｌｌのためのパスロス参照に対応するパスロスを利用する（ステップ５１２）ことである。これは、上の図３に関連して記載されるように行われる。
【０１５４】
図６は、タイプ２キャリアを取り扱うための方法６００の別のより具体的な構成を示すフロー図である。ＵＥ１０２は、少なくとも１つのタイプ２ＳＣｅｌｌに対応する参照セルを確定する（ステップ６０２）。これは、上の図３に関連して記載されるように行われる。
【０１５５】
ＵＥ１０２は、少なくとも１つのタイプ２ＳＣｅｌｌの上りリンクのためのパスロス参照として、ＰＣｅｌｌ、または少なくとも１つのタイプ２ＳＣｅｌｌに対応する参照セルをセットすべきかどうかを確定する（ステップ６０４）。例えば、ＵＥ１０２は、パスロス参照として、ＰＣｅｌｌまたは参照セルをセットすべきかどうかを指示するパスロス参照インジケータを受信する。
【０１５６】
ＵＥ１０２は、パスロス参照としてＰＣｅｌｌをセットすることが確定された場合、少なくとも１つのタイプ２ＳＣｅｌｌの上りリンクのためのパスロス参照として、ＰＣｅｌｌをセットする（ステップ６０６）。代わりに、ＵＥ１０２は、パスロス参照として参照セルをセットすることが確定された場合、少なくとも１つのタイプ２ＳＣｅｌｌの上りリンクのためのパスロス参照として、参照セルをセットする（ステップ６０８）。これは、上記の第３のアプローチの一例である。
【０１５７】
ＵＥ１０２は、少なくとも１つのタイプ２ＳＣｅｌｌのための参照セルのＣＲＳ、ＰＳＳおよびＳＳＳのうちの少なくとも１つを利用する（ステップ６１０）。これは、上の図３に関連して記載されるように行われる。
【０１５８】
留意すべきは、ＵＥ１０２が少なくとも１つのタイプ２ＳＣｅｌｌのためのパスロス参照に対応するパスロスを利用する（ステップ６１２）ことである。これは、上の図３に関連して記載されるように行われる。
【０１５９】
図７は、タイプ２キャリアを取り扱うための方法７００の別の構成を示すフロー図である。ｅＮＢ１６０は、少なくとも１つのタイプ２ＳＣｅｌｌを含む１つ以上の在圏セルを用いた構成を確定する（ステップ７０２）。例えば、ｅＮＢ１６０は、ＵＥ１０２が複数のキャリア１１９上で通信するための構成を生成し、複数のキャリア１１９の少なくとも１つは、ＳＣｅｌｌに設けられたタイプ２キャリアである。
【０１６０】
ｅＮＢ１６０は、この構成に基づく構成メッセージを送信する（ステップ７０４）。例えば、ｅＮＢ１６０は、少なくとも１つのタイプ２ＳＣｅｌｌを含む１つ以上の在圏セルを用いた構成を指示する構成メッセージを生成して送信する（ステップ７０４）。
【０１６１】
いくつかの実装では、ｅＮＢ１６０は、ｍｅａｓＣｏｎｆｉｇを生成して送信する。例えば、ｍｅａｓＣｏｎｆｉｇは、‘ＲＲＣＣｏｎｎｅｃｔｉｏｎＲｅｃｏｎｆｉｇｕｒａｔｉｏｎ’メッセージで送信される。ｍｅａｓＣｏｎｆｉｇは、タイプ２ＳＣｅｌｌではない１つ以上の在圏セルに関する測定結果（例えば、ＲＳＲＰおよびＲＳＲＱ）を取得するようにＵＥ１０２を導く。
【０１６２】
ｅＮＢ１６０は、少なくとも１つのタイプ２ＳＣｅｌｌを除く１つ以上の在圏セルのそれぞれに関する測定結果を含む測定結果リストを受信する（ステップ７０６）。例えば、ｅＮＢ１６０は、ｍｅａｓＲｅｓｕｌｔＰＣｅｌｌと、１つ以上の在圏セルのＲＳＲＰおよびＲＳＲＱ量を含むがタイプ２ＳＣｅｌｌに関する測定結果は何も含まないｍｅａｓＲｅｓｕｌｔＳｅｒｖＦｒｅｑＬｉｓｔとを受信する。いくつかの実装では、ｅＮＢ１６０は、測定結果リスト（例えば、ｍｅａｓＲｅｓｕｌｔＰＣｅｌｌ、ｍｅａｓＲｅｓｕｌｔＳｅｒｖＦｒｅｑＬｉｓｔ）をＭｅａｓｕｒｅｍｅｎｔＲｅｐｏｒｔメッセージ内のｍｅａｓＲｅｓｕｌｔｓとして受信する（ステップ７０６）。
【０１６３】
図８は、タイプ２キャリアを取り扱うための方法８００の別の構成を示すフロー図である。ｅＮＢ１６０は、少なくとも１つのタイプ２ＳＣｅｌｌに対応する参照セルを確定する（ステップ８０２）。例えば、ｅＮＢ１６０は、参照セルとして、ＵＥ１０２との通信のために設定された在圏セルを選択する。参照セルは、ＵＥ１０２により少なくとも１つのタイプ２ＳＣｅｌｌに関係するオペレーションのために利用される。例えば、参照セルは、ＣＲＳ、ＰＳＳおよびＳＳＳのうちの１つ以上を含み、ＵＥ１０２は、タイプ２ＳＣｅｌｌに関係する少なくとも１つ以上のオペレーションのためにこれらを利用する。
【０１６４】
ｅＮＢ１６０は、少なくとも１つのタイプ２ＳＣｅｌｌの上りリンクのためのパスロス参照を確定する（ステップ８０４）。例えば、ｅＮＢ１６０は、上記のアプローチの１つ以上に従ってこのパスロス参照を確定する（ステップ８０４）。第１のアプローチでは、パスロス参照は、少なくとも１つのタイプ２ＳＣｅｌｌに対応する参照セルである。第２のアプローチでは、ｅＮＢ１６０は、ＰＣｅｌｌとＳＣｅｌｌとの間でパスロス参照を選択する。第３のアプローチでは、ｅＮＢ１６０は、ＰＣｅｌｌと、少なくとも１つのタイプ２ＳＣｅｌｌに対応する参照セルとの間でパスロス参照を選択する。
【０１６５】
ｅＮＢ１６０は、参照セル・インジケータを送信する（ステップ８０６）。例えば、ｅＮＢ１６０は、参照セルを指示する参照セル・インジケータをＵＥ１０２へ送信する（ステップ８０６）。より具体的には、参照セル・インジケータは、タイプ２ＳＣｅｌｌのための特定の参照セルを指示できる。いくつかの実装では、参照セル・インジケータは、セル・インデックス番号である。例えば、ｅＮＢ１６０は、タイプ２在圏セルを含む複数の在圏セルを用いてＵＥ１０２を構成する。ｅＮＢ１６０が（例えば、ｅＮＢ１６０メッセージングに基づいて）タイプ２ＳＣｅｌｌを用いてＵＥ１０２を構成するとき、ｅＮＢ１６０は、タイプ２ＳＣｅｌｌに対する在圏セル・インデックスも用いてＵＥ１０２を構成する。在圏セル・インデックスに対応する在圏セルは、少なくとも１つのタイプ２ＳＣｅｌｌに対応する在圏セルである。
【０１６６】
ｅＮＢ１６０は、パスロス参照インジケータを随意的に送信する（ステップ８０８）。第１のアプローチでは、パスロス参照は、参照セルである。このケースでは、ｅＮＢ１６０は、パスロス参照インジケータを送信しなくてよい。しかしながら、ｅＮＢ１６０は、選択されたパスロス参照を指示するパスロス参照インジケータを随意的に送信してもよい。第２のアプローチでは、例えば、ｅＮＢ１６０は、ＰＣｅｌｌとＳＣｅｌｌとの間でパスロス参照を選択する。このケースでは、ｅＮＢ１６０は、パスロス参照がＰＣｅｌｌまたはＳＣｅｌｌであるかどうかを指示するパスロス参照インジケータを送信する。第３のアプローチでは、ｅＮＢ１６０は、ＰＣｅｌｌと参照セルとの間でパスロス参照を選択する。このケースでは、ｅＮＢ１６０は、パスロス参照がＰＣｅｌｌまた参照セルであるかどうかを指示するパスロス参照インジケータを送信する。
【０１６７】
図９は、測定設定変数９２３の構造の例を示すブロック図である。測定設定変数９２３は、ＶａｒＭｅａｓＣｏｎｆｉｇと呼ばれる。測定設定変数９２３は、上記のＵＥ変数‘ＶａｒＭｅａｓＣｏｎｆｉｇ’の一例である。ＵＥ１０２もｅＮＢ１６０も測定設定変数９２３を保持する。測定設定変数９２３は、上記の関連要素の例である測定識別子のリスト（ｍｅａｓＩｄＬｉｓｔ）９２５ａ〜ｃ、測定対象のリスト（ｍｅａｓＯｂｊｅｃｔＬｉｓｔ）９３３および報告設定のリスト（ｒｅｐｏｒｔＣｏｎｆｉｇＬｉｓｔ）９３５を含む。測定識別子のリスト９２５は、上記の関連要素の例である１つ以上の測定識別子（例えば、ｍｅａｓＩｄ）９２７ａ〜ｃ、１つ以上の測定対象識別子９２９ａ〜ｃおよび１つ以上の報告設定識別子９３１ａ〜ｃを含む。各測定識別子９２７は、測定対象識別子９２９および報告設定識別子９３１にリンクされる。
【０１６８】
リリース１０では、ＲＲＣＣｏｎｎｅｃｔｉｏｎＲｅｃｏｎｆｉｇｕｒａｔｉｏｎメッセージがｍｅａｓＣｏｎｆｉｇを含み、かつ受信したｍｅａｓＣｏｎｆｉｇがｍｅａｓＩｄＴｏＡｄｄＭｏｄＬｉｓｔを含む場合、測定識別子追加および修正手順が無線リソース制御（ＲＲＣ）接続再設定の間に行われる。ＵＥ１０２は、受信したｍｅａｓＩｄＴｏＡｄｄＭｏｄＬｉｓｔに含まれるｍｅａｓＩｄ９２７ごとに測定識別子追加および修正手順を行う。ＶａｒＭｅａｓＣｏｎｆｉｇ９２３内のｍｅａｓＩｄＬｉｓｔ９２５中にｍｅａｓＩｄ９２７が一致するエントリが存在する場合、ＵＥ１０２は、このエントリをｍｅａｓＩｄ９２７に対する受信値と置き換える。そうでない場合には、ＵＥ１０２は、ＶａｒＭｅａｓＣｏｎｆｉｇ９２３内のこのｍｅａｓＩｄ９２７に新しいエントリを追加する。ｅＮＢ１６０は、追加または修正手順がＵＥ１０２において行われたことを考慮または仮定する。
【０１６９】
図１０は、測定報告リスト１０３７の構造の一例を示すブロック図である。測定報告リスト１０３７は、ＶａｒＭｅａｓＲｅｐｏｒｔＬｉｓｔと呼ばれ、上記の関連要素の一例である。ＵＥ１０２もｅＮＢ１６０も測定報告リスト１０３７を保持する。測定報告リスト１０３７は、複数の測定報告１０３９ａ〜ｃを含む。各測定報告１０３９は、測定報告１０３９をトリガした測定識別子（ｍｅａｓＩｄ）１０２７ａ〜ｃおよびセルのリストを含む。
【０１７０】
図１１は、ＲＲＣ接続再設定メッセージ１１４１構造を示すブロック図である。ＲＲＣ接続再設定メッセージ１１４１は、ＲＲＣＣｏｎｎｅｃｔｉｏｎＲｅｃｏｎｆｉｇｕｒａｔｉｏｎと呼ばれ、上記の‘ＲＲＣＣｏｎｎｅｃｔｉｏｎＲｅｃｏｎｆｉｇｕｒａｔｉｏｎ’メッセージの一例である。ＲＲＣ接続再設定メッセージ１１４１は、上記のＭｅａｓＣｏｎｆｉｇの例である測定設定（ｍｅａｓＣｏｎｆｉｇ）１１４３を含む。測定設定１１４３は、上記のようなｍｅａｓＯｂｊｅｃｔＴｏＡｄｄＭｏｄＬｉｓｔ、ｒｅｐｏｒｔＣｏｎｆｉｇＴｏＡｄｄＭｏｄＬｉｓｔおよびｍｅａｓＩｄＴｏＡｄｄＭｏｄＬｉｓｔのうちの１つ以上を含む。留意すべきは、ＲＲＣ接続再設定が他の要素を含んでもよいことである。
【０１７１】
図１２は、測定設定（ｍｅａｓＣｏｎｆｉｇ）１２４３の例を示すブロック図である。測定設定（ｍｅａｓＣｏｎｆｉｇ）１２４３は、ｅＮＢ１６０からＵＥ１０２へ送信される上記のｍｅａｓＣｏｎｆｉｇの一例である。測定設定１２４３は、上記の関連要素の例であるいくつかの測定識別子（ｍｅａｓＩｄ）１２２７ａ〜ｆ、関連する測定対象識別子（ｍｅａｓＯｂｊｅｃｔＩｄ）１２２９ａ〜ｆおよび関連する報告設定識別子（ｒｅｐｏｒｔＣｏｎｆｉｇＩｄ）１２３１ａ〜ｆを含む。測定設定１２４３は、１つ以上のキャリア（例えば、ｍｅａｓＯｂｊｅｃｔ）に関するＲＳＲＰおよびＲＳＲＱ測定を行うようにＵＥ１０２に命令する。
【０１７２】
ｍｅａｓＩｄ１２２７は、セル固有参照信号（ＣＲＳ）に基づく無線リソース管理（ＲＲＭ）測定に対応する。ｍｅａｓＩｄ１２２７がシグナリングされるとき、ｍｅａｓＩｄ１２２７は、ｍｅａｓＯｂｊｅｃｔＩｄ１２２９ａ〜ｆおよびｒｅｐｏｒｔＣｏｎｆｉｇＩｄ１２３１ａ〜ｆと関連付けられる。
【０１７３】
いくつかの実装では、測定設定１２４３は、測定報告イベントをトリガするための判定基準を指定する。イベント識別子は、測定報告イベント（すなわち、上記のイベントＡ１〜Ａ６の現在のリスト）を識別する。イベントＡ１〜Ａ６は、（例えば、タイプ２ＳＣｅｌｌのための参照セルの）セル固有参照信号（ＣＲＳ）の測定結果に基づくイベントとして定義される。
【０１７４】
リリース１０では、測定識別子追加および／または修正手順が無線リソース制御（ＲＲＣ）接続再設定手順の間に行われる。特に、ＲＲＣＣｏｎｎｅｃｔｉｏｎＲｅｃｏｎｆｉｇｕｒａｔｉｏｎメッセージ１１４１が測定設定１１４３、１２４３を含み、かつ受信した測定設定１１４３、１２４３がｍｅａｓＩｄＴｏＡｄｄＭｏｄＬｉｓｔを含む場合に追加／修正手順が無線リソース制御（ＲＲＣ）接続再設定の間に行われる。
【０１７５】
図１３は、ＵＥ１３０２において利用される様々なコンポーネントを示す。図１３に関連して記載されるＵＥ１３０２は、図１に関連して記載されたＵＥ１０２に従って実装される。ＵＥ１３０２は、ＵＥ１３０２のオペレーションを制御するプロセッサ１３４５を含む。プロセッサ１３４５は、中央処理装置（ＣＰＵ：ｃｅｎｔｒａｌ  ｐｒｏｃｅｓｓｉｎｇ  ｕｎｉｔ）とも呼ばれる。メモリ１３５１は、リードオンリメモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、これら２つの組み合わせ、あるいは情報を記憶する任意のタイプのデバイスを含み、プロセッサ１３４５に命令１３４７ａおよびデータ１３４９ａを供給する。メモリ１３５１の一部分は、不揮発性ランダムアクセスメモリ（ＮＶＲＡＭ：ｎｏｎ−ｖｏｌａｔｉｌｅ  ｒａｎｄｏｍ  ａｃｃｅｓｓ  ｍｅｍｏｒｙ）も含んでよい。命令１３４７ｂおよびデータ１３４９ｂは、プロセッサ１３４５にも存在する。プロセッサ１３４５に読み込まれた命令１３４７ｂおよび／またはデータ１３４９ｂは、プロセッサ１３４５による実行または処理のために読み込まれた、メモリ１３５１からの命令１３４７ａおよび／またはデータ１３４９ａも含む。命令１３４７ｂは、上記の方法２００、３００、４００、５００、６００の１つ以上を実装するためにプロセッサ１３４５によって実行される。
【０１７６】
ＵＥ１３０２は、データの送受信を可能にするための１つ以上の送信機１３５８および１つ以上の受信機１３２０が入った筺体も含む。送信機（単数または複数）１３５８および受信機（単数または複数）１３２０は、１つ以上のトランシーバ１３１８に組み合わされてもよい。１つ以上のアンテナ１３２２ａ〜ｎは、筺体に取り付けられて、トランシーバ１３１８に電気的に結合される。
【０１７７】
ＵＥ１３０２の様々なコンポーネントは、データバスに加えて、電力バス、制御信号バスおよびステータス信号バスを含む、バスシステム１３５７によって結合される。しかしながら、明確さのために、図１３では様々なバスがバスシステム１３５７として示される。ＵＥ１３０２は、信号処理用のデジタル信号プロセッサ（ＤＳＰ：ｄｉｇｉｔａｌ  ｓｉｇｎａｌ  ｐｒｏｃｅｓｓｏｒ）１３５３も含んでよい。ＵＥ１３０２は、ＵＥ１３０２の機能へのユーザ・アクセスを提供する通信インターフェース１３５５も含んでよい。図１３に示されるＵＥ１３０２は、具体的なコンポーネントのリスティングではなく、機能ブロック図である。
【０１７８】
図１４は、ｅＮＢ１４６０において利用される様々なコンポーネントを示す。図１４に関連して記載されるｅＮＢ１４６０は、図１に関連して記載されたｅＮＢ１６０に従って実装される。ｅＮＢ１４６０は、ｅＮＢ１４６０のオペレーションを制御するプロセッサ１４５９を含む。プロセッサ１４５９は、中央処理装置（ＣＰＵ）とも呼ばれる。メモリ１４６５は、リードオンリメモリ（ＲＯＭ）、ランダムアクセスメモリ（ＲＡＭ）、これら２つの組み合わせ、あるいは情報を記憶する任意のタイプのデバイスを含み、プロセッサ１４５９に命令１４６１ａおよびデータ１４６３ａを供給する。メモリ１４６５の一部分は、不揮発性ランダムアクセスメモリ（ＮＶＲＡＭ）も含んでよい。命令１４６１ｂおよびデータ１４６３ｂは、プロセッサ１４５９にも存在する。プロセッサ１４５９に読み込まれた命令１４６１ｂおよび／またはデータ１４６３ｂは、プロセッサ１４５９による実行または処理のために読み込まれた、メモリ１４６５からの命令１４６１ａおよび／またはデータ１４６３ａも含む。命令１４６１ｂは、上記の方法７００、８００の１つ以上を実装するためにプロセッサ１４５９によって実行される。
【０１７９】
ｅＮＢ１４６０は、データの送受信を可能にするための１つ以上の送信機１４１７および１つ以上の受信機１４７８が入った筺体も含む。送信機（単数または複数）１４１７および受信機（単数または複数）１４７８は、１つ以上のトランシーバ１４７６に組み合わされてもよい。１つ以上のアンテナ１４８０ａ〜ｎは、筺体に取り付けられて、トランシーバ１４７６に電気的に結合される。
【０１８０】
ｅＮＢ１４６０の様々なコンポーネントは、データバスに加えて、電力バス、制御信号バスおよびステータス信号バスを含む、バスシステム１４７１によって結合される。しかしながら、明確さのために、図１４では様々なバスがバスシステム１４７１として示される。ｅＮＢ１４６０は、信号処理用のデジタル信号プロセッサ（ＤＳＰ）１４６７も含んでよい。ｅＮＢ１４６０は、ｅＮＢ１４６０の機能へのユーザ・アクセスを提供する通信インターフェース１４６９も含んでよい。図１４に示されるｅＮＢ１４６０は、具体的なコンポーネントのリスティングではなく、機能ブロック図である。
【０１８１】
図１５は、タイプ２キャリアを取り扱うためのシステムおよび方法が実装されたＵＥ１５０２の一構成を示すブロック図である。ＵＥ１５０２は、送信手段１５５８、受信手段１５２０および制御手段１５２４を含む。送信手段１５５８、受信手段１５２０および制御手段１５２４は、上の図２〜６および図１３に関連して記載された機能の１つ以上を行うように構成される。上の図１３は、図１５の具体的な装置構造の一例を示す。図２〜６および図１３の機能の１つ以上を実現するために、他の様々な構造が実装されてもよい。例えば、ＤＳＰがソフトウェアによって実現されてもよい。
【０１８２】
図１６は、タイプ２キャリアを取り扱うためのシステムおよび方法が実装されたｅＮＢ１６６０の一構成を示すブロック図である。ｅＮＢ１６６０は、送信手段１６１７、受信手段１６７８および制御手段１６８２を含む。送信手段１６１７、受信手段１６７８および制御手段１６８２は、上の図７〜８および図１４に関連して記載された機能の１つ以上を行うように構成される。上の図１４は、図１６の具体的な装置構造の一例を示す。図７〜８および図１４の機能の１つ以上を実現するために、他の様々な構造が実装されてもよい。例えば、ＤＳＰがソフトウェアによって実現されてもよい。
【０１８３】
用語「コンピュータ可読媒体」は、コンピュータまたはプロセッサによってアクセスできる任意の利用可能な媒体を指す。用語「コンピュータ可読媒体」は、本明細書では、非一時的かつ有形のコンピュータおよび／またはプロセッサ可読媒体を示す。限定ではなく、例として、コンピュータ可読またはプロセッサ可読媒体は、ＲＡＭ、ＲＯＭ、ＥＥＰＲＯＭ、ＣＤ−ＲＯＭまたは他の光ディスク記憶、磁気ディスク記憶もしくは他の磁気記憶デバイス、あるいは命令の形態の所望のプログラムコードまたはデータ構造を載せるか、または記憶するために用いることができ、コンピュータまたはプロセッサによってアクセスできる任意の他の媒体を備える。ディスク（ｄｉｓｋ）およびディスク（ｄｉｓｃ）は、本明細書では、コンパクトディスク（ＣＤ：ｃｏｍｐａｃｔ  ｄｉｓｃ）、レーザディスク（ｌａｓｅｒ  ｄｉｓｃ）、光ディスク（ｏｐｔｉｃａｌ  ｄｉｓｃ）、デジタルバーサタイルディスク（ＤＶＤ：ｄｉｇｉｔａｌ  ｖｅｒｓａｔｉｌｅ  ｄｉｓｃ）、フロッピーディスク（ｆｌｏｐｐｙ  ｄｉｓｋ）およびＢｌｕ−ｒａｙ（登録商標）ディスク（ｄｉｓｃ）を含み、ディスク（ｄｉｓｋ）は、通常、磁気的にデータを再生し、一方でディスク（ｄｉｓｃ）は、レーザを用いて光学的にデータを再生する。
【０１８４】
留意すべきは、本明細書に記載される方法の１つ以上がハードウェアで実装されてもよく、および／またはハードウェアを用いて行われてもよいことである。例えば、本明細書に記載される方法の１つ以上は、チップセット、特定用途向け集積回路（ＡＳＩＣ）、大規模集積回路（ＬＳＩ）または集積回路などで実装されてもよく、および／またはそれらを用いて実現されてもよい。
【０１８５】
本明細書に開示されるそれぞれの方法は、記載される方法を達成するための１つ以上のステップまたは動作を備える。本方法のステップおよび／または動作は、特許請求の範囲から逸脱することなく、相互に交換されてもよく、および／または単一のステップに組み合わされてもよい。言い換えれば、記載される方法の適切なオペレーションのためにステップまたは動作の特定の順序が必要とされない限り、特許請求の範囲から逸脱することなく、特定のステップおよび／または動作の順序および／または使用が修正されてもよい。
【０１８６】
当然のことながら、特許請求の範囲は、上に示された通りの構成およびコンポーネントには限定されない。特許請求の範囲から逸脱することなく、本明細書に記載される配置、オペレーション、ならびにシステム、方法、および装置の詳細に様々な修正、変更および変形がなされてもよい。
【図１】
2015536583.tif 000006
【図２】
2015536583.tif 000007
【図３】
2015536583.tif 000008
【図４】
2015536583.tif 000009
【図５】
2015536583.tif 000010
【図６】
2015536583.tif 000011
【図７】
2015536583.tif 000012
【図８】
2015536583.tif 000013
【図９】
2015536583.tif 000014
【図１０】
2015536583.tif 000015
【図１１】
2015536583.tif 000016
【図１２】
2015536583.tif 000017
【図１３】
2015536583.tif 000018
【図１４】
2015536583.tif 000019
【図１５】
2015536583.tif 000020
【図１６】
2015536583.tif 000021
【国際調査報告】
2015536583.tif 000022
2015536583.tif 000023